(57)【特許請求の範囲】
【請求項１】
第１の周期で被写体を撮像することにより得られる単位画像データを記録媒体の単位画像データ記録領域に記録する画像データ記録装置において，
上記単位画像データのデータ量の２倍のデータ量の画像データを生成する固体電子撮像素子を含み，この固体電子撮像素子により被写体を撮像して得られる被写体像を表わす撮像画像データを上記第１の周期で出力する撮像手段，
上記第１の周期の２倍の第２の周期の間に上記撮像手段から出力される第１および第２の撮像画像データのうちの第１の撮像画像データを，それぞれが被写体像を表わしかつ上記単位画像データのデータ量をもつ第１および第２の分割画像データに分割する画像データ分割手段，
上記第２の撮像画像データから，被写体像を表わしかつ上記単位画像データのデータ量をもつ画像データを抽出する画像データ抽出手段，
上記画像データ分割手段によって分割された第１および第２の分割画像データのうち第１の分割画像データと上記画像データ抽出手段によって抽出された画像データとの差分データを算出する差分データ生成手段，ならびに
上記画像データ分割手段による分割によって得られた第１および第２の分割画像データを記録媒体の２個の単位画像データ記録領域に分けて記録し，上記差分データ生成手段によって得られた差分データを上記記録媒体の上記単位画像データ記録領域以外の補助記録領域に記録する記録制御手段，
を備えた画像データ記録装置。
【請求項２】
上記撮像手段から上記第１の撮影周期ごとに出力される撮像画像データによって表わされる画像間において動きがある部分を検出する動き検出手段を備え，
上記記録制御手段が，
上記動き検出手段により動きありと検出された部分に相当する部分について，上記差分データ生成手段から出力される差分データを上記補助記録領域に記録するものである，
請求項１に記載の画像データ記録装置。
【請求項３】
上記差分データ生成手段から出力される差分データを圧縮する手段を備え，
上記記録制御手段が，
上記圧縮手段により圧縮させられた差分データを上記補助記録領域に記録するものである，
請求項１または２に記載の画像データ記録装置。
【請求項４】
上記記録媒体の単位画像データ記録領域に記録された第１の分割画像データおよび上記補助記録領域に記録された差分データを読取る読取手段，ならびに
上記読取手段により読取られた第１の分割画像データおよび差分データから，上記単位画像データのデータ量をもつ上記第２の撮像画像データに相当する画像データを生成して出力する動画再生用画像データ生成手段，
を備えた請求項１から３のうちいずれか１項に記載の画像データ記録装置。
【請求項５】
スチル再生モードとムービ再生モードとを選択的に設定するモード設定手段，
上記モード設定手段によりスチル再生モードが設定されているときに，２個の上記単位画像データ記録領域に分けて記録されている第１および第２の分割画像データを読み取り，読み取られた第１および第２の分割画像データを合成することにより一駒の静止画像を表わす画像データを生成する静止画像データ生成手段，ならびに
上記モード設定手段によりムービ再生モードが設定されているときに，２個の上記単位画像データ記録領域に記録されている第１および第２の分割画像データのうち第１の分割画像データおよび上記補助記録領域に記録されている差分データから，上記単位画像データのデータ量をもつ上記第２の撮像画像データに相当する画像データを生成して出力する動画再生用画像データ生成手段，
を備えた請求項１から３のうちいずれか１項に記載の画像データ記録装置。
【請求項６】
上記補助記録領域には圧縮された差分データが記録されており，
上記補助記録領域に記録されている圧縮差分データを伸張する手段を備えている請求項４または５に記載の画像データ記録装置。
【請求項７】
被写体像が所定の画像データ量をもつ単位画像データによって表わされ上記単位画像データが第１の周期で単位画像データ記録領域に記録されている記録媒体を再生する装置において，
上記記録媒体には，上記第１の周期の２倍の第２の周期の間に与えられる，上記単位画像データの画像データ量の２倍のデータ量をもつ第１および第２の撮像画像データのうち第１の撮像画像データが２個の上記単位画像データ記録領域に分けて記録されており，かつ上記第２の周期の間に与えられる２倍のデータ量の撮像画像データが上記単位画像データのデータ量となるように分けられた第１および第２の分割画像データのうちの第１の分割画像データと，上記第２の撮像データから抽出され被写体像を表わし，かつ上記単位画像データのデータ量をもつ抽出画像データとの差分データと，が上記単位画像データ記録領域以外の補助領域に記録されており，
上記記録媒体の上記単位画像データ記録領域に記録された第１の分割画像データおよび上記補助記録領域に記録された差分データを読取る読取手段，ならびに
上記読取手段により読取られた第１の分割画像データおよび差分データから，上記単位画像データのデータ量をもつ上記第２の撮像画像データに相当する画像データを生成して出力する動画再生用画像データ生成手段，
を備えたディジタル画像データ再生装置。
【請求項８】
被写体像が所定の画像データ量をもつ単位画像データによって表わされ上記単位画像データが第１の周期で単位画像データ記録領域に記録されている記録媒体を再生する装置において，
上記記録媒体には，上記第１の周期の２倍の第２の周期の間に与えられる，上記単位画像データの画像データ量の２倍のデータ量をもつ第１および第２の撮像画像データのうち第１の撮像画像データが，それぞれが上記単位画像データのデータ量となるように分けられた第１および第２の分割画像データが２個の上記単位画像データ記録領域に分けて記録されており，かつ上記第１の分割画像データと上記第２の撮像データから抽出され被写体像を表わし，かつ上記単位画像データのデータ量をもつ抽出画像データとの差分データが上記単位画像データ記録領域以外の補助領域に記録されており，
スチル再生モードとムービ再生モードとを選択的に設定するモード設定手段，
上記モード設定手段によりスチル再生モードが設定されているときに２個の上記単位画像データ記録領域に分けて記録されている第１および第２の分割画像データを読み取り，読み取られた第１および第２の分割画像データを合成することにより一駒の静止画像を表わす画像データを生成する静止画像データ生成手段，ならびに
上記モード設定手段によりムービ再生モードが設定されているときに２個の上記単位画像データ記録領域に分けて記録されている第１および第２の分割画像データのうち上記第１の分割画像データおよび差分データから，上記単位画像データのデータ量をもつ上記第２の撮像画像データに相当する画像データを生成して出力する動画再生用画像データ生成手段，
を備えたディジタル画像データ再生装置。
【請求項９】
第１の周期で被写体を撮像することにより得られる単位画像データを記録媒体の単位画像データ記録領域に記録する画像データ記録装置において，
上記単位画像データのデータ量の２倍のデータ量の画像データを生成する固体電子撮像素子を含み，この固体電子撮像素子により被写体を撮像して得られる被写体像を表わす撮像画像データを上記第１の周期で出力する撮像手段，
上記撮像手段から上記第１の撮影周期で出力される上記２倍のデータ量をもつ画像データが上記単位画像データのデータ量であってそれぞれが被写体像を表わすように，上記撮像手段から出力される画像データから第１の抽出画像データを抽出する画像データ抽出手段，
上記第１の撮影周期の２倍の第２の撮影周期の間に上記撮像手段から出力された第１および第２の撮像画像データのうちの第１の撮像画像データが上記画像データ抽出手段によって抽出されることにより得られる第１の抽出画像データと，上記第１の撮像画像データから上記第１の抽出画像データを除いた第２の抽出画像データとの差分データを演算する差分データ演算手段，および
上記画像データ抽出手段により抽出された第１の抽出画像データを上記記録媒体の単位画像データ記録領域に記録し，上記差分データ演算手段から出力される差分データを上記単位画像データ記録領域以外の補助記録領域に記録する記録制御手段，
を備えたディジタル画像データの記録装置。
【請求項１０】
上記差分データ演算手段から出力される差分データを圧縮する手段を備え，
上記記録制御手段が，
上記圧縮手段により圧縮させられた差分データを上記補助記録領域に記録するものである，
請求項９に記載のディジタル画像データの記録装置。
【請求項１１】
上記記録媒体の単位画像データ記録領域に記録された第１の抽出画像データおよび上記補助記録領域に記録された差分データを読取る読取手段，ならびに
上記読取手段から読取られた第１の抽出画像データおよび差分データから上記第１の撮像画像データを生成して出力する静止画再生用画像データ生成手段，
を備えた請求項９または10に記載のディジタル画像データの記録装置。
【請求項１２】
スチル再生モードとムービ再生モードとを選択的に設定するモード設定手段，
上記モード設定手段によりムービ再生モードが設定されているときに上記単位画像データ記録領域に記録されている第１の抽出画像データを読取り，読取られた第１の抽出画像データを上記第１の周期で出力する動画再生用画像データ出力手段，ならびに
上記モード設定手段によりスチル再生モードが設定されているときに，上記第１の撮像画像データから抽出された第１の抽出画像データと上記補助記録領域に記録されている差分データとを読取り，読取られた第１の抽出画像データおよび差分データから上記第２の撮像画像データを生成して出力する静止画再生用画像データ生成手段，
を備えた請求項９から11のうちいずれか１項に記載のディジタル画像データの記録装置。
【請求項１３】
上記補助記録領域には圧縮された差分データが記録されており，
上記補助記録領域に記録されている圧縮差分データを伸張する手段を備えている請求項11または12に記載のディジタル画像データの記録装置。
【請求項１４】
被写体像が所定の画像データ量をもつ単位画像データによって表わされ上記単位画像データが第１の周期で単位画像データ記録領域に記録されている記録媒体を再生する装置において，
上記記録媒体には，上記第１の周期で与えられる，上記単位画像データのデータ量の２倍のデータ量をもち一駒の画像を表わす画像データが上記単位画像データのデータ量であってそれぞれが被写体像を表わすように抽出された，第１の抽出画像データが上記単位画像データ記録領域に記録されており，かつ上記第２の周期の間に与えられる２倍のデータ量の第１および第２の撮像画像データのうちの第１の撮像画像データから上記抽出処理により抽出された上記第１の抽出画像データを除いた第２の抽出画像データと，上記抽出処理によって抽出された上記第１の抽出画像データとの差を表わす差分データが上記単位画像データ記録領域以外の補助領域に記録されており，
上記記録媒体の上記画像データ記録領域に記録された第１の抽出画像データおよび上記補助記録領域に記録された差分データを読取る読取手段，ならびに
上記読取手段により読取られた第１の抽出画像データおよび差分データから，上記第２の周期の間に得られる上記２倍のデータ量をもつ上記第１の撮像画像データを生成して出力する静止画再生用画像データ生成手段，
を備えたディジタル画像データ再生装置。
【請求項１５】
被写体像が所定の画像データ量をもつ単位画像データによって表わされ上記単位画像データが第１の周期で単位画像データ記録領域に記録されている記録媒体を再生する装置において，
上記記録媒体には，上記第１の周期で与えられる，上記単位画像データのデータ量の２倍のデータ量をもち一駒の画像を表わす画像データが上記単位画像データのデータ量であってそれぞれが被写体像を表わすように抽出された，第１の抽出画像データが上記単位画像データ記録領域に記録されており，かつ上記第２の周期の間に与えられる２倍のデータ量の第１および第２の撮像画像データのうちの第１の撮像画像データから上記抽出処理により抽出された上記第１の抽出画像データを除いた第２の抽出画像データと，上記抽出処理によって抽出された上記第１の抽出画像データとの差を表わす差分データが上記単位画像データ記録領域以外の補助領域に記録されており，
上記記録媒体の上記画像データ記録領域に記録された第１の抽出画像データおよび上記補助記録領域に記録された差分データを読取る読取手段，
スチル再生モードとムービ再生モードとを選択的に設定するモード設定手段，
上記モード設定手段によりムービ再生モードが設定されているときに上記読取手段から読取られた第１の抽出画像データを上記第１の周期ごとに出力する動画再生用画像データ出力手段，ならびに
上記モード設定手段によりスチル再生モードが設定されているときに上記読取手段により読取られた第１の抽出画像データおよび差分データから，上記第２の周期の間に得られる上記２倍のデータ量をもつ上記第１の撮像画像データを生成して出力する静止画再生用画像データ生成手段，
を備えたディジタル画像データ再生装置。
【請求項１６】
第１の周期で被写体を撮像することにより得られる単位画像データを記録媒体の単位画像データ記録領域に記録する画像データ記録装置において，
上記単位画像データのデータ量の２倍のデータ量の画像データを生成する固体電子撮像素子を含み，この固体電子撮像素子により被写体を撮像して得られる被写体像を表わす撮像画像データを上記第１の周期で出力する撮像手段，
上記撮像手段から上記第１の撮影周期で出力される上記２倍のデータ量をもつ第１および第２の撮像画像データのうち第１の撮像画像データを，それぞれが被写体像を表わし，かつ上記単位画像データのデータ量をもつ第１および第２の分割画像データに分割する画像データ分割手段，
上記画像データ分割手段により分割された第１の分割画像データから上記第２の分割画像データに相当する補間画像データを生成する補間画像データ生成手段，
上記補間画像データ生成手段によって生成された補間画像データと上記画像データ分割手段により分割された第２の分割画像データとの差分データを演算する差分データ演算手段，
上記第２の撮像画像データから，被写体像を表わしかつ上記単位画像データのデータ量をもつ画像データを抽出する画像データ抽出手段，ならびに
上記画像データ抽出手段により抽出された抽出画像データおよび上記画像データ分割手段によって分割された第１の分割画像データを上記記録媒体の２個の単位画像データ記録領域に記録し，上記差分データ演算手段から出力される差分データを上記単位画像データ記録領域以外の補助記録領域に記録する記録制御手段，
を備えたディジタル画像データ記録装置。
【請求項１７】
あらかじめ定められた領域内における，上記差分データ演算手段により演算された差分データの和があらかじめ定められたしきい値以上かどうかを判定する判定手段を備え，
上記記録制御手段が，
上記画像データ抽出手段により抽出された画像データおよび上記画像データ分割手段によって分割された第１の画像データを上記記録媒体の２個の単位画像データ記録領域に記録し，上記判定手段により上記差分データの和が上記しきい値以上と判定された差分データを上記領域内における差分データとして上記補助記録領域に記録するものである，
請求項16に記載のディジタル画像データの記録装置。
【請求項１８】
上記補間画像データ生成手段が，
上記欠如している画素およびこの欠如している画素に水平方向または垂直方向に隣接する位置に存在すべき画素の上下にある画素を表わすデータを抽出し，これらの画素を表わすデータの加算値を得，得られた加算値が水平方向または垂直方向に存在する画素についての加算値ほど増加または減少しているかどうかを判定する手段，ならびに
増加または減少しているときには，上記欠如している画素の上下または左右の画素を表わすデータを用いて上記欠如している画素を表わすデータを生成し，増加または減少していないときには上記欠如している画素の上下または左右の画素および斜め上下の画素の３方向の画素の相関値を算出し，もっとも高い相関を与える画素を表わすデータを用いて上記欠如している画素を表わすデータを生成する手段，
を備えた請求項16または17に記載のディジタル画像データの記録装置。
【請求項１９】
上記差分データ演算手段により演算された差分データを圧縮する手段を備え，
上記記録制御手段は，上記圧縮手段により圧縮された差分データを上記補助記録領域に記録するものである，
請求項16から18のうちいずれか１項に記載のディジタル画像データの記録装置。
【請求項２０】
上記単位画像データ記録領域に記録されている第１の分割画像データから上記補間画像データを生成する補間画像データ生成手段，
上記第２の補間画像データ生成手段によって生成された補間画像データと上記補助記録領域に記録されている差分データとから上記第２の分割画像データを生成する第２の分割画像データ生成手段，
上記単位画像データ記録領域に記録されている上記第１の分割画像データと上記第２の分割画像データ生成手段によって生成された第２の分割画像データとから静止画像データを生成する静止画像データ生成手段，
を備えた請求項16から19のうちいずれか一項に記載のディジタル画像データの記録装置。
【請求項２１】
スチル再生モードとムービ再生モードとを選択的に設定するモード設定手段，
上記単位画像データ記録領域に記録されている上記第１の分割画像データから上記補間画像データを生成する補間画像データ生成手段，
上記第２の補間画像データ生成手段によって生成された補間画像データと上記補助記録領域に記録されている差分データとから上記第２の分割画像データを生成する第２の分割画像データ生成手段，
上記モード設定手段によりムービ再生モードが設定されたときには，上記２個の単位画像データ記録領域に記録されている第１の分割画像データおよび抽出画像データを動画再生用に出力する動画像データ生成手段，ならびに
上記モード設定手段によりスチル再生モードが設定されたときには，上記単位画像データ記録領域に記録されている上記第１の分割画像データと上記第２の分割画像データ生成手段によって生成された第２の分割画像データとから静止画像データを生成する静止画像データ生成手段，
を備えた請求項16から20のうちいずれか一項に記載のディジタル画像データの記録装置。
【請求項２２】
一駒の画像が所定の画像データ量をもつ単位画像データによって表わされ上記単位画像データが第１の周期で単位画像データ記録領域に記録されている記録媒体を再生する装置において，
上記記録媒体の２個の単位画像データ記録領域には，それぞれが単位画像データのデータ量の２倍のデータ量をもつ第１および第２の撮像画像データのうちの第１の撮像画像データが，それぞれが被写体像を表わし，かつ上記単位画像データのデータ量をもつように分割された第１および第２の分割画像データのうちの第１の分割画像データおよび上記第２の撮像画像データから抽出された画像データであって，被写体像を表わし，かつ上記単位画像データのデータ量をもつ抽出画像データが記録され，上記記録媒体の補助記録領域には上記第１の分割画像データから生成された上記第２の分割画像データに相当する補間画像データと上記第２の分割画像データとの差分データが記録されており，
上記単位画像データ記録領域に記録されている第１の分割画像データから上記補間画像データを生成する補間画像データ生成手段，
上記第２の補間画像データ生成手段によって生成された補間画像データと上記補助記録領域に記録されている差分データとから上記第２の分割画像データを生成する第２の分割画像データ生成手段，
上記単位画像データ記録領域に記録されている上記第１の分割画像データと上記第２の分割画像データ生成手段によって生成された第２の分割画像データとから静止画像データを生成する静止画像データ生成手段，
を備えたディジタル画像データ再生装置。
【請求項２３】
一駒の画像が所定の画像データ量をもつ単位画像データによって表わされ上記単位画像データが第１の周期で単位画像データ記録領域に記録されている記録媒体を再生する装置において，
上記記録媒体の２個の単位画像データ記録領域には，それぞれが単位画像データのデータ量の２倍のデータ量をもつ第１および第２の撮像画像データのうちの第１の撮像画像データが，それぞれが被写体像を表わし，かつ上記単位画像データのデータ量をもつように分割された第１および第２の分割画像データのうちの第１の分割画像データおよび上記第２の撮像画像データから抽出された画像データであって，被写体像を表わし，かつ上記単位画像データのデータ量をもつ抽出画像データが記録され，上記記録媒体の補助記録領域には上記第１の分割画像データから生成された上記第２の分割画像データに相当する補間画像データと上記第２の分割画像データとの差分データが記録されており，
スチル再生モードとムービ再生モードとを選択的に設定するモード設定手段，
上記単位画像データ記録領域に記録されている上記第１の分割画像データから上記補間画像データを生成する補間画像データ生成手段，
上記第２の補間画像データ生成手段によって生成された補間画像データと上記補助記録領域に記録されている差分データとから上記第２の分割画像データを生成する第２の分割画像データ生成手段，
上記モード設定手段によりムービ再生モードが設定されたときには，上記２個の単位画像データ記録領域に記録されている第１の分割画像データおよび抽出画像データを動画再生用に出力する動画像データ再生手段，ならびに
上記モード設定手段によりスチル再生モードが設定されたときには，上記単位画像データ記録領域に記録されている上記第１の分割画像データと上記第２の分割画像データ生成手段によって生成された第２の分割画像データとから静止画像データを生成する静止画像データ生成手段，
を備えたディジタル画像データ再生装置。
【請求項２４】
第１の周期で被写体を撮像することにより得られる単位画像データを記録媒体の単位画像データ記録領域に記録する画像データ記録装置において，
上記単位画像データのデータ量の２倍のデータ量の画像データを生成する固体電子撮像素子を含み，この固体電子撮像素子により被写体を撮像して得られる被写体像を表わす撮像画像データを上記第１の周期で出力する撮像手段，
上記撮像手段から上記第１の撮影周期で出力され，上記２倍のデータ量をもち，奇数列と偶数列とをもつ被写体像を表わす撮像画像データが，上記単位画像データのデータ量となるように上記撮像手段から出力される画像データを平均化する平均化手段，
上記撮像画像データから上記奇数列または偶数列の被写体像を表わす画像データを抽出する画像データ抽出手段，
上記画像データ抽出手段によって抽出された画像データと上記平均化手段によって平均化された画像データとの差分データを演算する差分データ演算手段，および
上記平均化手段により平均化された画像データを上記記録媒体の単位画像データ記録領域に記録し，上記差分データ演算手段から出力される差分データを上記単位画像データ記録領域以外の補助記録領域に記録する記録制御手段，
を備えたディジタル画像データの記録装置。
【請求項２５】
あらかじめ定められた領域内における，上記差分データ演算手段により演算された差分データの和があらかじめ定められたしきい値以上かどうかを判定する判定手段を備え，
上記記録制御手段が，
上記平均化手段により平均化された画像データを上記記録媒体の単位画像データ記録領域に記録し，上記判定手段により上記差分データの和が上記しきい値以上と判定された差分データを上記領域内における上記差分データとして上記補助記録領域に記録するものである，
請求項24に記載のディジタル画像データの記録装置。
【請求項２６】
上記差分データ演算手段により演算された差分データを圧縮する手段を備え，
上記記録制御手段は，上記圧縮手段により圧縮された差分データを上記補助記録領域に記録するものである，
請求項24または25に記載のディジタル画像データの記録装置。
【請求項２７】
上記単位画像データ記録領域に記録された平均化画像データおよび上記補助記録領域に記録された上記差分データを読取る読取手段，ならびに
上記読取手段により読取られた画像データおよび差分データから上記撮像手段から出力された画像データであって上記画像データ抽出手段によって抽出された画像データ以外の画像データを生成し，生成された画像データと，上記読取手段によって読取られた画像データとを合成して上記２倍のデータ量をもつ静止画像データを生成する静止画像データ生成手段，
を備えた請求項24から26のうちいずれか１項に記載のディジタル画像データの記録装置。
【請求項２８】
上記単位画像データ記録領域に記録された平均化画像データおよび上記補助記録領域に記録された上記差分データを読取る読取手段，
スチル再生モードとムービ再生モードとを選択的に設定するモード設定手段，
上記モード設定手段によりムービ再生モードが設定されたときには，上記読取手段により読取られた平均化画像データを動画再生用に出力する動画像データ生成手段，ならびに
上記モード設定手段によりスチル再生モードが設定されたときには，上記読取手段により読取られた画像データおよび差分データから上記撮像手段から出力された画像データであって上記画像データ抽出手段によって抽出された画像データ以外の画像データを生成し，生成された画像データと，上記読取手段によって読取られた画像データとを合成して上記２倍のデータ量をもつ静止画像データを生成する静止画像データ生成手段，
を備えた請求項24から26のうちいずれか１項に記載のディジタル画像データ記録装置。
【請求項２９】
被写体像が所定の画像データ量をもつ単位画像データによって表わされ上記単位画像データが第１の周期で単位画像データ記録領域に記録されている記録媒体を再生する装置において，
上記記録媒体には，上記第１の周期で与えられる，上記単位画像データのデータ量の２倍のデータ量をもち一駒の画像を表わす撮像画像データが上記単位画像データのデータ量であってそれぞれが被写体像を表わすように平均化された画像データが上記単位画像データ記録領域に記録されており，撮像画像データから抽出された奇数列または偶数列の被写体像を表わす画像データと上記平均化画像データとの差分データが上記単位画像データ記録領域以外の補助領域に記録されており，
上記記録媒体の上記画像データ記録領域に記録された画像データおよび上記補助記録領域に記録された差分データを読取る読取手段，ならびに
上記読取手段により読取られた平均化画像データおよび差分データから，上記撮像画像データを生成して出力する静止画再生用画像データ生成手段，
を備えたディジタル画像データ再生装置。
【請求項３０】
被写体像が所定の画像データ量をもつ単位画像データによって表わされ上記単位画像データが第１の周期で単位画像データ記録領域に記録されている記録媒体を再生する装置において，
上記記録媒体には，上記第１の周期で与えられる，上記単位画像データのデータ量の２倍のデータ量をもち一駒の画像を表わす撮像画像データが上記単位画像データのデータ量であってそれぞれが被写体像を表わすように平均化された画像データが上記単位画像データ記録領域に記録されており，撮像画像データから抽出された奇数列または偶数列の被写体像を表わす画像データと上記平均化画像データとの差分データが上記単位画像データ記録領域以外の補助領域に記録されており，
上記記録媒体の上記画像データ記録領域に記録された画像データおよび上記補助記録領域に記録された差分データを読取る読取手段，
スチル再生モードとムービ再生モードとを選択的に設定するモード設定手段，
上記モード設定手段によりムービ再生モードが設定されているときに上記読取手段から読取られた平均化画像データを上記第１の周期ごとに出力する動画再生用画像データ出力手段，ならびに
上記モード設定手段によりスチル再生モードが設定されているときに上記読取手段により読取られた平均化画像データおよび差分データから，上記撮像画像データを生成して出力する静止画再生用画像データ生成手段，
を備えたディジタル画像データ再生装置。
【請求項３１】
第１の周期で被写体を撮像することにより得られる単位画像データを記録媒体の単位画像データ記録領域に記録する画像データ記録装置において，
単位画像データの画像データ量の２倍のデータ量を生成する固体電子撮像素子を含み，上記固体電子撮像素子を用いて被写体を撮像して得られた被写体像を表わす撮像画像データを上記第１の周期で出力する撮像手段，
上記単位画像データのデータ量をもちそれぞれが被写体像を表わすように，上記撮像手段から出力された撮像画像データを分割する画像データ分割手段，
上記画像データ分割手段によって分割された画像データのうち，一の分割画像データの高周波成分を抽出する高周波成分データ抽出手段，および
上記画像データ分割手段によって分割された画像データのうち，他の画像データを記録媒体の画像データ記録領域に記録し，上記高周波成分データ抽出手段により抽出された高周波成分データを上記画像データ記録領域以外の補助記録領域に記録する記録制御手段，
を備えたディジタル画像データの記録装置。
【請求項３２】
上記高周波成分データ抽出手段により抽出された高周波成分データを圧縮する圧縮手段を備え，
上記記録制御手段は，
上記圧縮手段により圧縮された高周波成分データを上記補助記録領域に記録するものである，
請求項31に記載のディジタル画像データの記録装置。
【請求項３３】
上記記録媒体の画像データ記録領域に記録された圧縮画像データおよび上記補助記録領域に記録された高周波成分データを読取る読取手段，ならびに
上記読取手段により読取られた分割画像データおよび高周波成分データから上記ｎ倍のデータ量をもつ一駒の高画質静止画像を構成する画像データを生成する静止画像データ生成手段，
を備えた請求項31に記載のディジタル画像データの記録装置。
【請求項３４】
上記記録媒体の画像データ記録領域に記録された分割画像データおよび上記補助記録領域に記録された高周波成分データを読取る読取手段，
スチル再生モードとムービ再生モードとを選択的に設定するモード設定手段，
上記モード設定手段によりムービ再生モードが設定されたときには上記読取手段により読取られた分割データを出力する動画像データ出力手段，ならびに
上記モード設定手段によりスチル再生モードが設定されたときには上記読取手段により読取られた分割画像データおよび高周波成分データから上記２倍のデータ量をもつ一駒の高画質静止画像を構成する画像データを生成する静止画像データ生成手段，
を備えた請求項31に記載のディジタル画像データ記録装置。
【請求項３５】
上記補助記録領域に圧縮された高周波成分データが記録されており，
上記読取手段は，上記補助記録領域に圧縮して記録された圧縮差分データを伸張するデータ伸張手段を備えている，請求項33または34に記載のディジタル画像データの記録装置。
【請求項３６】
一駒の画像を所定の画像データ量をもつ単位画像データによって表わし，上記単位画像データの記録領域の大きさがあらかじめ規定され，この規定にしたがって，上記単位画像データのデータ量の２倍のデータ量をもち，一駒の画像を表わす画像データを，それぞれが被写体像を表わすように単位画像データに分割され，分割された画像データのうち一の画像データが上記単位画像データ記録領域に記録され，分割された画像データのうち他の画像データの高周波成分が上記単位画像データ記録領域以外の補助記録領域に記録された記録媒体から上記一駒の画像を再生するためのディジタル画像データ再生装置であり，
上記記録媒体の画像データ記録領域に記録された分割画像データおよび上記補助記録領域に記録された高周波成分データを読取る読取手段，ならびに
上記読取手段により読取られた画像データおよび高周波成分データから上記２倍のデータ量をもつ一駒の高画質静止画像を構成する画像データを生成する静止画像データ生成手段，
を備えたディジタル画像データ再生装置。
【請求項３７】
一駒の画像を所定の画像データ量をもつ単位画像データによって表わし，上記単位画像データの記録領域の大きさがあらかじめ規定され，この規定にしたがって，上記単位画像データのデータ量の２倍のデータ量をもち，一駒の画像を表わす画像データを，それぞれが一駒の画像を表わすように単位画像データに分割され，分割された画像データのうち一の画像データが上記単位画像データ記録領域に記録され，分割された画像データのうち他の画像データの高周波成分が上記単位画像データ記録領域以外の補助記録領域に記録された記録媒体から上記一駒の画像を再生するためのディジタル画像データ再生装置であり，
上記記録媒体の画像データ記録領域に記録された画像データおよび上記補助記録領域に記録された高周波成分データを読取る読取手段，
スチル再生モードとムービ再生モードとを選択的に設定するモード設定手段，
上記モード設定手段によりムービ再生モードが設定されたときには上記読取手段により読取られた分割画像データを第１の周期で出力する動画像データ出力手段，ならびに
上記モード設定手段によりスチル再生モードが設定されたときには上記読取手段により読取られた分割画像データおよび高周波成分データから上記２倍のデータ量をもつ一駒の高画質静止画像を構成する画像データを生成する静止画像データ生成手段，
を備えたディジタル画像データ再生装置。
【請求項３８】
上記補助記録領域には圧縮させられた高周波成分データが記録されており，
上記読取手段は，上記補助記録領域に圧縮して記録された圧縮高周波成分データを伸張するデータ伸張手段を備えている，請求項36または37に記載のディジタル画像再生装置。
【請求項３９】
第１の周期で被写体を撮像することにより得られる単位画像データを記録媒体の単位画像データ記録領域に記録する画像データ記録装置において，
上記単位画像データのデータ量の２倍のデータ量の画像データを生成する固体電子撮像素子を含み，この固体電子撮像素子により被写体を撮像して得られる被写体像を表わす撮像画像データを上記第１の周期で得，
上記第１の周期の２倍の第２の周期の間に得られる第１および第２の撮像画像データのうちの第１の撮像画像データを，それぞれが被写体像を表わしかつ上記単位画像データのデータ量をもつ第１および第２の分割画像データに分割し，
上記第２の撮像画像データから，被写体像を表わしかつ上記単位画像データのデータ量をもつ画像データを抽出し，
分割された第１および第２の分割画像データのうち第１の分割画像データと抽出された画像データとの差分データを算出し，
分割によって得られた第１および第２の分割画像データを記録媒体の２個の単位画像データ記録領域に分けて記録し，得られた差分データを上記記録媒体の上記単位画像データ記録領域以外の補助記録領域に記録する，
画像データ記録方法。
【請求項４０】
被写体像が所定の画像データ量をもつ単位画像データによって表わされ上記単位画像データが第１の周期で単位画像データ記録領域に記録されている記録媒体を再生する装置において，
上記記録媒体には，上記第１の周期の２倍の第２の周期の間に与えられる，上記単位画像データの画像データ量の２倍のデータ量をもつ第１および第２の撮像画像データのうち第１の撮像画像データが２個の上記単位画像データ記録領域に分けて記録されており，かつ上記第２の周期の間に与えられる２倍のデータ量の撮像画像データが上記単位画像データのデータ量となるように分けられた第１および第２の分割画像データのうちの第１の分割画像データと，上記第２の撮像データから抽出され被写体像を表わし，かつ上記単位画像データのデータ量をもつ抽出画像データとの差分データと，が上記単位画像データ記録領域以外の補助領域に記録されており，
上記記録媒体の上記単位画像データ記録領域に記録された第１の分割画像データおよび上記補助記録領域に記録された差分データを読取り，
読取られた第１の分割画像データおよび差分データから，上記単位画像データのデータ量をもつ上記第２の撮像画像データに相当する画像データを生成して出力する，
ディジタル画像データ再生方法。
【請求項４１】
被写体像が所定の画像データ量をもつ単位画像データによって表わされ上記単位画像データが第１の周期で単位画像データ記録領域に記録されている記録媒体を再生する装置において，
上記記録媒体には，上記第１の周期の２倍の第２の周期の間に与えられる，上記単位画像データの画像データ量の２倍のデータ量をもつ第１および第２の撮像画像データのうち第１の撮像画像データが，それぞれが上記単位画像データのデータ量となるように分けられた第１および第２の分割画像データが２個の上記単位画像データ記録領域に分けて記録されており，かつ上記第１の分割画像データと上記第２の撮像データから抽出され被写体像を表わし，かつ上記単位画像データのデータ量をもつ抽出画像データとの差分データが上記単位画像データ記録領域以外の補助領域に記録されており，
スチル再生モードとムービ再生モードとを選択的に設定するモード設定手段を設け，
上記モード設定手段によりスチル再生モードが設定されているときに２個の上記単位画像データ記録領域に分けて記録されている第１および第２の分割画像データを読み取り，読み取られた第１および第２の分割画像データを合成することにより一駒の静止画像を表わす画像データを生成し，
上記モード設定手段によりムービ再生モードが設定されているときに２個の上記単位画像データ記録領域に分けて記録されている第１および第２の分割画像データのうち上記第１の分割画像データおよび差分データから，上記単位画像データのデータ量をもつ上記第２の撮像画像データに相当する画像データを生成して出力する，
ディジタル画像データ再生方法。
【請求項４２】
第１の周期で被写体を撮像することにより得られる単位画像データを記録媒体の単位画像データ記録領域に記録する画像データ記録装置において，
上記単位画像データのデータ量の２倍のデータ量の画像データを生成する固体電子撮像素子を含み，この固体電子撮像素子により被写体を撮像して得られる被写体像を表わす撮像画像データを上記第１の周期で撮像手段から得，
上記撮像手段から上記第１の撮影周期で出力される上記２倍のデータ量をもつ画像データが上記単位画像データのデータ量であってそれぞれが被写体像を表わすように，上記撮像手段から出力される画像データから第１の抽出画像データを抽出し，
上記第１の撮影周期の２倍の第２の撮影周期の間に上記撮像手段から出力された第１および第２の撮像画像データのうちの第１の撮像画像データが上記画像データ抽出手段によって抽出されることにより得られる第１の抽出画像データと，上記第１の撮像画像データから上記第１の抽出画像データを除いた第２の抽出画像データとの差分データを演算し，
抽出された第１の抽出画像データを上記記録媒体の単位画像データ記録領域に記録し，上記差分データ演算手段から出力される差分データを上記単位画像データ記録領域以外の補助記録領域に記録する，
ディジタル画像データの記録方法。
【請求項４３】
被写体像が所定の画像データ量をもつ単位画像データによって表わされ上記単位画像データが第１の周期で単位画像データ記録領域に記録されている記録媒体を再生する装置において，
上記記録媒体には，上記第１の周期で与えられる，上記単位画像データのデータ量の２倍のデータ量をもち一駒の画像を表わす画像データが上記単位画像データのデータ量であってそれぞれが被写体像を表わすように抽出された，第１の抽出画像データが上記単位画像データ記録領域に記録されており，かつ上記第２の周期の間に与えられる２倍のデータ量の第１および第２の撮像画像データのうちの第１の撮像画像データから上記抽出処理により抽出された上記第１の抽出画像データを除いた第２の抽出画像データと，上記抽出処理によって抽出された上記第１の抽出画像データとの差を表わす差分データが上記単位画像データ記録領域以外の補助領域に記録されており，
上記記録媒体の上記画像データ記録領域に記録された第１の抽出画像データおよび上記補助記録領域に記録された差分データを読取り，
読取られた第１の抽出画像データおよび差分データから，上記第２の周期の間に得られる上記２倍のデータ量をもつ上記第１の撮像画像データを生成して出力する，
ディジタル画像データ再生方法。
【請求項４４】
被写体像が所定の画像データ量をもつ単位画像データによって表わされ上記単位画像データが第１の周期で単位画像データ記録領域に記録されている記録媒体を再生する装置において，
上記記録媒体には，上記第１の周期で与えられる，上記単位画像データのデータ量の２倍のデータ量をもち一駒の画像を表わす画像データが上記単位画像データのデータ量であってそれぞれが被写体像を表わすように抽出された，第１の抽出画像データが上記単位画像データ記録領域に記録されており，かつ上記第２の周期の間に与えられる２倍のデータ量の第１および第２の撮像画像データのうちの第１の撮像画像データから上記抽出処理により抽出された上記第１の抽出画像データを除いた第２の抽出画像データと，上記抽出処理によって抽出された上記第１の抽出画像データとの差を表わす差分データが上記単位画像データ記録領域以外の補助領域に記録されており，
上記記録媒体の上記画像データ記録領域に記録された第１の抽出画像データおよび上記補助記録領域に記録された差分データを読取り，
スチル再生モードとムービ再生モードとを選択的に設定するモード設定手段を設け，
上記モード設定手段によりムービ再生モードが設定されているときに読取られた第１の抽出画像データを上記第１の周期ごとに出力し，
上記モード設定手段によりスチル再生モードが設定されているときに読取られた第１の抽出画像データおよび差分データから，上記第２の周期の間に得られる上記２倍のデータ量をもつ上記第１の撮像画像データを生成して出力する，
ディジタル画像データ再生方法。
【請求項４５】
第１の周期で被写体を撮像することにより得られる単位画像データを記録媒体の単位画像データ記録領域に記録する画像データ記録装置において，
上記単位画像データのデータ量の２倍のデータ量の画像データを生成する固体電子撮像素子を含み，この固体電子撮像素子により被写体を撮像して得られる被写体像を表わす撮像画像データを上記第１の周期で撮像手段から得，
上記撮像手段から上記第１の撮影周期で出力される上記２倍のデータ量をもつ第１および第２の撮像画像データのうち第１の撮像画像データを，それぞれが被写体像を表わし，かつ上記単位画像データのデータ量をもつ第１および第２の分割画像データに分割し，
分割された第１の分割画像データから上記第２の分割画像データに相当する補間画像データを生成し，
生成された補間画像データと分割された第２の分割画像データとの差分データを演算し，
上記第２の撮像画像データから，被写体像を表わしかつ上記単位画像データのデータ量をもつ画像データを抽出し，
抽出された抽出画像データおよび上記画像データ分割手段によって分割された第１の分割画像データを上記記録媒体の２個の単位画像データ記録領域に記録し，上記差分データ演算手段から出力される差分データを上記単位画像データ記録領域以外の補助記録領域に記録する，
ディジタル画像データ記録方法。
【請求項４６】
一駒の画像が所定の画像データ量をもつ単位画像データによって表わされ上記単位画像データが第１の周期で単位画像データ記録領域に記録されている記録媒体を再生する装置において，
上記記録媒体の２個の単位画像データ記録領域には，それぞれが単位画像データのデータ量の２倍のデータ量をもつ第１および第２の撮像画像データのうちの第１の撮像画像データが，それぞれが被写体像を表わし，かつ上記単位画像データのデータ量をもつように分割された第１および第２の分割画像データのうちの第１の分割画像データおよび上記第２の撮像画像データから抽出された画像データであって，被写体像を表わし，かつ上記単位画像データのデータ量をもつ抽出画像データが記録され，上記記録媒体の補助記録領域には上記第１の分割画像データから生成された上記第２の分割画像データに相当する補間画像データと上記第２の分割画像データとの差分データが記録されており，
上記単位画像データ記録領域に記録されている第１の分割画像データから上記補間画像データを生成し，
生成された補間画像データと上記補助記録領域に記録されている差分データとから上記第２の分割画像データを生成し，
上記単位画像データ記録領域に記録されている上記第１の分割画像データと生成された第２の分割画像データとから静止画像データを生成する，
ディジタル画像データ再生方法。
【請求項４７】
一駒の画像が所定の画像データ量をもつ単位画像データによって表わされ上記単位画像データが第１の周期で単位画像データ記録領域に記録されている記録媒体を再生する装置において，
上記記録媒体の２個の単位画像データ記録領域には，それぞれが単位画像データのデータ量の２倍のデータ量をもつ第１および第２の撮像画像データのうちの第１の撮像画像データが，それぞれが被写体像を表わし，かつ上記単位画像データのデータ量をもつように分割された第１および第２の分割画像データのうちの第１の分割画像データおよび上記第２の撮像画像データから抽出された画像データであって，被写体像を表わし，かつ上記単位画像データのデータ量をもつ抽出画像データが記録され，上記記録媒体の補助記録領域には上記第１の分割画像データから生成された上記第２の分割画像データに相当する補間画像データと上記第２の分割画像データとの差分データが記録されており，
スチル再生モードとムービ再生モードとを選択的に設定するモード設定手段を設け，
上記単位画像データ記録領域に記録されている上記第１の分割画像データから上記補間画像データを生成し，
生成された補間画像データと上記補助記録領域に記録されている差分データとから上記第２の分割画像データを生成し，
上記モード設定手段によりムービ再生モードが設定されたときには，上記２個の単位画像データ記録領域に記録されている第１の分割画像データおよび抽出画像データを動画再生用に出力し，
上記モード設定手段によりスチル再生モードが設定されたときには，上記単位画像データ記録領域に記録されている上記第１の分割画像データと上記第２の分割画像データ生成手段によって生成された第２の分割画像データとから静止画像データを生成する，
ディジタル画像データ再生方法。
【請求項４８】
第１の周期で被写体を撮像することにより得られる単位画像データを記録媒体の単位画像データ記録領域に記録する画像データ記録装置において，
上記単位画像データのデータ量の２倍のデータ量の画像データを生成する固体電子撮像素子を含み，この固体電子撮像素子により被写体を撮像して得られる被写体像を表わす撮像画像データを上記第１の周期で撮像手段から得，
上記撮像手段から上記第１の撮影周期で出力され，上記２倍のデータ量をもち，奇数列と偶数列とをもつ被写体像を表わす撮像画像データが，上記単位画像データのデータ量となるように上記撮像手段から出力される画像データを平均化し，
上記撮像画像データから上記奇数列または偶数列の被写体像を表わす画像データを抽出し，
抽出された画像データと上記平均化手段によって平均化された画像データとの差分データを演算し，
平均化された画像データを上記記録媒体の単位画像データ記録領域に記録し，上記差分データ演算手段から出力される差分データを上記単位画像データ記録領域以外の補助記録領域に記録する，
ディジタル画像データの記録方法。
【請求項４９】
被写体像が所定の画像データ量をもつ単位画像データによって表わされ上記単位画像データが第１の周期で単位画像データ記録領域に記録されている記録媒体を再生する装置において，
上記記録媒体には，上記第１の周期で与えられる，上記単位画像データのデータ量の２倍のデータ量をもち一駒の画像を表わす撮像画像データが上記単位画像データのデータ量であってそれぞれが被写体像を表わすように平均化された画像データが上記単位画像データ記録領域に記録されており，撮像画像データから抽出された奇数列または偶数列の被写体像を表わす画像データと上記平均化画像データとの差分データが上記単位画像データ記録領域以外の補助領域に記録されており，
上記記録媒体の上記画像データ記録領域に記録された画像データおよび上記補助記録領域に記録された差分データを読取り，
読取られた平均化画像データおよび差分データから，上記撮像画像データを生成して出力する，
ディジタル画像データ再生方法。
【請求項５０】
被写体像が所定の画像データ量をもつ単位画像データによって表わされ上記単位画像データが第１の周期で単位画像データ記録領域に記録されている記録媒体を再生する装置において，
上記記録媒体には，上記第１の周期で与えられる，上記単位画像データのデータ量の２倍のデータ量をもち一駒の画像を表わす撮像画像データが上記単位画像データのデータ量であってそれぞれが被写体像を表わすように平均化された画像データが上記単位画像データ記録領域に記録されており，撮像画像データから抽出された奇数列または偶数列の被写体像を表わす画像データと上記平均化画像データとの差分データが上記単位画像データ記録領域以外の補助領域に記録されており，
上記記録媒体の上記画像データ記録領域に記録された画像データおよび上記補助記録領域に記録された差分データを読取り，
スチル再生モードとムービ再生モードとを選択的に設定するモード設定手段を設け，
ムービ再生モードが設定されているときに読取られた平均化画像データを上記第１の周期ごとに出力し，
スチル再生モードが設定されているときに読取られた平均化画像データおよび差分データから，上記撮像画像データを生成して出力する，
ディジタル画像データ再生方法。
【請求項５１】
第１の周期で被写体を撮像することにより得られる単位画像データを記録媒体の単位画像データ記録領域に記録する画像データ記録装置において，
単位画像データの画像データ量の２倍のデータ量を生成する固体電子撮像素子を含み，上記固体電子撮像素子を用いて被写体を撮像して得られた被写体像を表わす撮像画像データを上記第１の周期で出力する撮像手段，
上記単位画像データのデータ量をもちそれぞれが被写体像を表わすように，上記撮像手段から出力された撮像画像データを分割し，
分割された画像データのうち，一の分割画像データの高周波成分を抽出し，
分割された画像データのうち，他の画像データを記録媒体の画像データ記録領域に記録し，上記高周波成分データ抽出手段により抽出された高周波成分データを上記画像データ記録領域以外の補助記録領域に記録する，
ディジタル画像データの記録方法。
【請求項５２】
一駒の画像を所定の画像データ量をもつ単位画像データによって表わし，上記単位画像データの記録領域の大きさがあらかじめ規定され，この規定にしたがって，上記単位画像データのデータ量の２倍のデータ量をもち，一駒の画像を表わす画像データを，それぞれが被写体像を表わすように単位画像データに分割され，分割された画像データのうち一の画像データが上記単位画像データ記録領域に記録され，分割された画像データのうち他の画像データの高周波成分が上記単位画像データ記録領域以外の補助記録領域に記録された記録媒体から上記一駒の画像を再生するためのディジタル画像データ再生装置であり，
上記記録媒体の画像データ記録領域に記録された分割画像データおよび上記補助記録領域に記録された高周波成分データを読取り，
読取られた画像データおよび高周波成分データから上記２倍のデータ量をもつ一駒の高画質静止画像を構成する画像データを生成する，
ディジタル画像データ再生方法。
【請求項５３】
一駒の画像を所定の画像データ量をもつ単位画像データによって表わし，上記単位画像データの記録領域の大きさがあらかじめ規定され，この規定にしたがって，上記単位画像データのデータ量の２倍のデータ量をもち，一駒の画像を表わす画像データを，それぞれが一駒の画像を表わすように単位画像データに分割され，分割された画像データのうち一の画像データが上記単位画像データ記録領域に記録され，分割された画像データのうち他の画像データの高周波成分が上記単位画像データ記録領域以外の補助記録領域に記録された記録媒体から上記一駒の画像を再生するためのディジタル画像データ再生装置であり，
上記記録媒体の画像データ記録領域に記録された画像データおよび上記補助記録領域に記録された高周波成分データを読取り，
スチル再生モードとムービ再生モードとを選択的に設定するモード設定手段を設け，
上記モード設定手段によりムービ再生モードが設定されたときには上記読取手段により読取られた分割画像データを第１の周期で出力し，
上記モード設定手段によりスチル再生モードが設定されたときには上記読取手段により読取られた分割画像データおよび高周波成分データから上記２倍のデータ量をもつ一駒の高画質静止画像を構成する画像データを生成する，
ディジタル画像データ再生方法。
【発明の詳細な説明】
【０００１】
【技術分野】
この発明はディジタル・ビデオ・テープ・レコーダ（ＤＶＴＲ），ＤＶＴＲにおけるディジタル画像データの記録方法，ならびにこのＤＶＴＲまたはこの記録方法によって磁気テープに記録されたディジタル画像データの再生装置および方法に関する。
【０００２】
【発明の背景】
ディジタル・ビデオ・テープ・レコーダ（ＤＶＴＲ）は，ＣＣＤのような固体電子撮像素子を用いて被写体を撮像し，撮像により得られた被写体像を表わす映像信号をディジタル画像データに変換して磁気テープに記録するものである。ディジタル・ビデオ・テープ・レコーダに用いられるＣＣＤは水平方向７２０  画素×垂直方向４８０  画素＝約３５万画素のものが一般的である。ＤＶＴＲにおいては動画を記録する際には一定周期でＣＣＤのインターレース読出しを行ない，奇数行の画素からなるフィールド画像と偶数行の画素からなるフィールド画像とを交互に得，１フレーム分の画像データを得る。これにより撮影周期を早くすることが可能であり，動きの速い被写体であっても動きの滑らかな画像を記録することができるからである。１フレーム分の画像データは１／３０秒の時間をかけて，かつ１０トラックの記録領域を用いて磁気テープに記録される。
【０００３】
ディジタル・ビデオ・テープ・レコーダにおいては，３５万画素のＣＣＤを用いて被写体を撮影して得られるディジタル画像データのうち１フレーム分の画像データを１／３０秒かけて１０トラックに記録するのが一般的であり，この記録方式が業界における標準的な規格となっている（たとえば，ＮＩＫＫＥＩ  ＥＬＥＣＴＲＯＮＩＣＳ  ＢＯＯＫＳ「データ圧縮とディジタル変調」第１３７  頁〜第１５２  頁，日経ＢＰ社，１９９３年を参照）。
【０００４】
動画を再生する場合には奇数行の画素からなるフィールド画像と偶数行の画素からなるフィールド画像とが交互に与えられることによりフレーム画像が構成され，テレビジョン装置に映し出される。
【０００５】
所望の場面をプリントとして得たいという要求から，ＤＶＴＲにおいては動画再生機能に加え静止画再生機能を有するものも開発されてきている。しかしながら動画記録において得られたフィールド画像をプリントしたのでは，フィールド画像は奇数行または偶数行の画素から構成されているため，垂直解像度が低く，高画質のプリントが得られない。
【０００６】
動きの滑らかな動画再生を行なうには撮影周期を速くする必要があるが上述した規格に合致させるためには画素数を多くすることはできない。一方，高画質の静止画像を得るためには画素数を多くしなければならない。このようにディジタル・ビデオ・テープ・レコーダにおいては動画再生についての要求と静止画再生についての要求とは相反するものである。
【０００７】
このためアナログ・ビデオ・テープ・レコーダにおいては，ビデオ・テープのＰＣＭオーディオ記録領域に，静止画像を表わす信号を必要に応じて圧縮して記録するものもある（たとえば特開平４−１３２７７  号公報など）。しかしながらこの手法では，１駒分の高画質な完全な静止画像を生成するための映像信号をすべてＰＣＭオーディオ記録領域に記録することは難しく，すべて記録しようとすると多くのＰＣＭオーディオ記録領域を使用しなければならない。
【０００８】
【発明の開示】
この発明は，高画質の静止画像を得ることができ，かつ滑らかな動きのある動画像を得ることを目的とする。
【０００９】
第１の発明のディジタル画像データの記録装置は，一駒の画像について単位画像データのデータ量のｎ倍のデータ量の画像データを生成する固体電子撮像素子を含み，この固体電子撮像素子により被写体を撮像して得られる被写体像を表わす撮像画像データを第１の周期で出力する撮像手段，上記第１の周期のｎ倍の第２の周期の間に上記撮像手段から出力されるｎ駒分の撮像画像データのうちの所定の一駒分の撮像画像データを，それぞれが一駒の画像を表わしかつ上記単位画像データのデータ量をもつ分割画像データに分割する画像データ分割手段，上記分割画像データのうちの一の駒を表わす分割画像データと，上記ｎ駒分の撮像画像データのうちの上記の所定の一駒を除く他の駒の撮像画像データから抽出されかつ上記の一の駒の分割画像データに対応する抽出画像データ（一駒の画像を表わしかつ単位画像データのデータ量をもつ）との差分データを算出する差分データ生成手段，ならびに上記画像データ分割手段による分割によって得られたすべての分割画像データを記録媒体のｎ個の単位画像データ記録領域に分けて記録し，上記差分データ生成手段によって得られた差分データを上記記録媒体の上記単位画像データ記録領域以外の補助記録領域に記録する記録制御手段を備えていることを特徴とする。
【００１０】
第１の発明は画像データの記録方法も提供している。すなわち，一駒の画像について単位画像データのデータ量のｎ倍のデータ量の画像データを生成する固体電子撮像素子を含み，この固体電子撮像素子により被写体を撮像して被写体像を表わす撮像画像データを得，上記第１の周期のｎ倍の第２の周期の間に上記撮像によって得られるｎ駒分の撮像画像データのうちの所定の一駒分の撮像画像データを，それぞれが一駒の画像を表わしかつ上記単位画像データのデータ量をもつ分割画像データに分割し，上記分割画像データのうちの一の駒を表わす分割画像データと，上記ｎ駒分の撮像画像データのうちの上記の所定の一駒を除く他の駒の撮像画像データから抽出されかつ上記の一の駒の分割画像データに対応する抽出画像データとの差分データを算出し，上記画像データ分割処理による分割によって得られたすべての分割画像データを記録媒体のｎ個の単位画像データ記録領域に分けて記録し，上記差分データ生成処理によって得られた差分データを上記記録媒体の上記単位画像データ記録領域以外の補助記録領域に記録することを特徴とする。
【００１１】
第１の発明においては単位画像データは上述した現在の業界規格でいえば１フレーム画像データに相当する。また第１の撮影周期はたとえば１／３０秒であり，第２の撮影周期はたとえば１／１５秒である。
【００１２】
第１の発明では単位画像データの画像データ量のｎ倍のデータ量の画像データを生成する固体電子撮像素子が用いられる。画素数の多い固体電子撮像素子が用いられているから，撮像の段階で高画質の画像の捕捉が行なわれる。
【００１３】
第１の発明においては上記第２の撮影周期の間のうちの所定の一駒分の撮像画像データについては単位画像データのデータ量となるように分けられ，規格の記録方式にしたがって記録媒体の単位画像データ記録領域に記録される。
【００１４】
このようにして，撮像により得られた高画質の画像データの画質がそのまま保存され，かつ従来の規格に合致した形で記録されることとなる。したがって，後に述べるように高画質の静止画の再生が可能となる。
【００１５】
第１の発明においては，上記差分データが記録媒体の補助記録領域に記録される。上記差分データは，分割画像データのうちの一の駒を表わす分割画像データと，ｎ駒分の撮像画像データのうちの所定の一駒を除く他の駒の撮像画像データから抽出されかつ一の駒の分割画像データに対応する，抽出画像データとの差を表わすものである。単位画像データ記録領域に記録された画像データと補助記録領域に記録された差分データとから，上記第２の撮影周期の時点以外の上記第１の撮影周期に，被写体の撮像によって得られる画像データを復元することができる。これにより第２の撮影周期間の画像を表わす画像も生成することができ，動きの滑らかな動画再生も可能となる。
【００１６】
第２の発明のディジタル画像データの記録装置は，一駒の画像について単位画像データのデータ量のｎ倍のデータ量の画像データを生成する固体電子撮像素子を含み，この固体電子撮像素子により被写体を撮像して得られる被写体像を表わす撮像画像データを第１の周期で出力する撮像手段，上記第１の周期のｎ倍の第２の周期の間に上記撮像手段から出力されるｎ駒分の撮像画像データのうちの所定の一駒分の撮像画像データを，それぞれが一駒の画像を表わしかつ上記単位画像データのデータ量をもつ分割画像データに分割する画像データ分割手段，上記分割画像データのうちの一の駒を表わす分割画像データと，上記ｎ駒分の撮像画像データのうちの上記の所定の一駒を除く他の駒の撮像画像データから抽出されかつ上記の一の駒の分割画像データに対応する抽出画像データ（一駒の画像を表わしかつ単位画像データのデータ量をもつ）との差分データを算出する差分データ生成手段，ならびに上記の所定の一駒分の撮像画像データを記録媒体の画像データ記録領域に記録し，上記差分データ生成手段によって得られた差分データを上記記録媒体の上記画像データ記録領域以外の補助記録領域に記録する記録制御手段を備えていることを特徴とする。
【００１７】
第２の発明はディジタル画像データの記録方法も提供している。すなわち，一駒の画像について単位画像データのデータ量のｎ倍のデータ量の画像データを生成する固体電子撮像素子を含み，この固体電子撮像素子により被写体を撮像して被写体像を表わす撮像画像データを第１の周期で得，上記第１の周期のｎ倍の第２の周期の間に上記撮像によって得られるｎ駒分の撮像画像データのうちの所定の一駒分の撮像画像データを，それぞれが一駒の画像を表わしかつ上記単位画像データのデータ量をもつ分割画像データに分割し，上記分割画像データのうちの一の駒を表わす分割画像データと，上記ｎ駒分の撮像画像データのうちの上記の所定の一駒を除く他の駒の撮像画像データから抽出されかつ上記の一の駒の分割画像データに対応する抽出画像データとの差分データを算出し，上記の所定の一駒分の撮像画像データを記録媒体の画像データ記録領域に記録し，上記差分データ生成処理によって得られた差分データを上記記録媒体の上記画像データ記録領域以外の補助記録領域に記録することを特徴とする。
【００１８】
第２の発明においては単位画像データは上述した現在の業界規格でいえば１フィールド画像データに相当する。また第１の撮影周期はたとえば１／６０秒であり，第２の撮影周期はたとえば１／３０秒である。
【００１９】
第２の発明では単位画像データ（フィールド画像データ）の画像データ量のｎ倍のデータ量の画像データを生成する固体電子撮像素子が用いられる。画素数の多い固体電子撮像素子が用いられているから，撮像の段階で高画質の画像の捕捉が行なわれる。
【００２０】
第２の発明においても上記第２の撮影周期の間のうちの所定の一駒分の撮像画像データについては単位画像データのデータ量となるように分けられ，規格の記録方式にしたがって記録媒体の単位画像データ記録領域に記録される。
【００２１】
このようにして，撮像により得られた高画質の画像データの画質がそのまま保存され，かつ従来の規格に合致した形で記録されることとなる。したがって，後に述べるように高画質の静止画の再生が可能となる。
【００２２】
第２の発明においても上記差分データが記録媒体の上記補助記録領域に記録される。したがって，補助記録領域に記録された差分データと画像データ記録領域に記録された画像データを再生することにより，第２の撮影周期の間に撮影によって得られる単位画像データのｎ倍のデータ量をもつ画像データを復元することができる。これにより第２の撮影周期間の画像を表わす画像も生成することができ，動きの滑らかな動画再生も可能となる。
【００２３】
上記においては，上記撮像によって上記第１の撮影周期ごとに得られる画像データによって表わされる画像間において動きがある部分を検出し，上記動き検出処理により動きありと検出された部分に相当する部分について，上記差分データ生成によって得られる差分データを上記補助記録領域に記録するとよい。
【００２４】
これにより補助記録領域に記録される差分データのデータ量を少なくすることができる。
【００２５】
また，上記差分データ演算処理によって得られる差分データを圧縮し，上記圧縮処理により圧縮させられた差分データを上記補助記録領域に記録してもよい。
【００２６】
この場合であっても補助記録領域に記録される差分データのデータ量を実質的に少なくすることができる。この場合には再生時においては，圧縮された差分データはデータ伸張が施こされることとなる。
【００２７】
この発明によるディジタル画像データの再生装置および方法は上述のようにして記録された記録媒体からの画像データの再生を行うものである。この再生装置および方法は，上述したディジタル・ビデオ・テープ・レコーダに適用することもできるし，独立したディジタル画像データ再生装置として実現することもできる。
【００２８】
ディジタル画像データ再生装置を，動画の再生という観点から規定すると，この再生装置は，上記記録媒体の単位画像データ記録領域に記録された分割画像データおよび上記補助記録領域に記録された差分データを読取る読取手段，ならびに上記読取手段により読取られた分割画像データおよび差分データから，上記第２の撮影周期の間の上記第１の撮影周期の時点に上記撮像手段から出力される所定の一駒以外の撮像画像データを生成して出力する動画再生用画像データ生成手段を備えているものとして特徴づけられる。
【００２９】
またディジタル画像データ再生方法は，上記記録媒体の上記単位画像データ記録領域に記録された分割画像データおよび上記補助記録領域に記録された差分データを読取り，読取られた分割画像データおよび差分データから，上記第２の周期の間の上記第１の周期の時点であって所定の一駒以外の撮像画像データを生成して出力するものとして特徴づけられる。
【００３０】
ディジタル画像データ再生装置を動画と静止画の再生という観点から規定すると，この再生装置は，上記記録媒体の単位画像データ記録領域に記録された分割画像データおよび上記補助記録領域に記録された差分データを読取る読取手段，スチル再生モードとムービ再生モードとを選択的に設定するモード設定手段，上記モード設定手段によりスチル再生モードが設定されているときにｎ個所の上記単位画像データ記録領域に分けて記録されている分割画像データを合成することにより一駒の静止画像を表わす画像データを生成する静止画像データ生成手段，ならびに上記モード設定手段によりムービ再生モードが設定されているときに上記読取手段により読取られた分割画像データおよび差分データから，上記第２の撮影周期の間の上記第１の撮影周期の時点に上記撮像手段から出力される所定の一駒以外の撮像画像データを生成して出力する動画再生用画像データ生成手段を備えているものとして特徴づけられる。
【００３１】
またディジタル画像データ再生方法は，上記記録媒体の上記単位画像データ記録領域に記録された分割画像データおよび上記補助記録領域に記録された差分データを読取り，スチル再生モードとムービ再生モードとを選択的に設定可能としておき，スチル再生モードが設定されているときにｎ個所の上記単位画像データ記録領域に分けて記録されている分割画像データを合成することにより一駒の静止画像を表わす画像データを生成し，ムービ再生モードが設定されているときに，読取られた分割画像データおよび差分データから，上記第２の周期の間の上記第１の周期の時点であって所定の一駒以外の撮像動画再生用画像データを生成して出力するものとして特徴づけられる。
【００３２】
記録媒体の画像データ記録領域から画像データが読出される。分けて画像データ記録領域に記録された分割画像データが，もとの静止画像を表わすように合成される。この合成された静止画像データが表示装置に与えられ表示されるか，またはプリンタに与えられ静止画像がプリントされる。
【００３３】
画素数の多い固体電子撮像素子から得られた画像データがそのまま復元されるので高画質の静止画が得られることになる。
【００３４】
動画再生においては，上記補助記録領域に記録された差分データが読出される。この差分データと，画像データ記録領域から読出された画像データから上記第２の撮影周期の間に得られるべき画像データ（ｎ倍のデータ量をもつ画像データ）を復元することができる。
【００３５】
第２の撮影周期の間の画像を表わす画像データを復元することができるので，動きのある被写体であっても動きの滑らかな動画再生が可能となる。
【００３６】
上記差分データが圧縮されて上記補助記録領域に記録されているときには，読出された差分データはデータ伸張が施こされる。データ伸張された差分データを用いて第２の撮影周期の間の画像を表わす画像データが復元される。
【００３７】
第３の発明によるディジタル画像データの記録装置は，一駒の画像について単位画像データのデータ量のｎ倍のデータ量の画像データを生成する固体電子撮像素子を含み，この固体電子撮像素子により被写体を撮像して得られる被写体像を表わす撮像画像データを第１の周期で出力する撮像手段，上記撮像手段から上記第１の撮影周期で出力される上記ｎ倍のデータ量をもつ画像データが上記単位画像データのデータ量であってそれぞれが一駒の画像を構成するように，上記撮像手段から出力される画像データを抽出する画像データ抽出手段，上記第１の撮影周期のｎ倍の第２の撮影周期の間に上記撮像手段から出力された撮像画像データのうちの所定の一駒分の撮像画像データであって上記画像データ抽出手段によって抽出された画像データの残りの画像データと，上記所定の一駒分の撮像画像データが上記画像データ抽出手段によって抽出された画像データとの差分データを演算する差分データ演算手段，および上記画像データ抽出手段により抽出された画像データを上記記録媒体の単位画像データ記録領域に記録し，上記差分データ演算手段から出力される差分データを上記単位画像データ記録領域以外の補助記録領域に記録する記録制御手段を備えていることを特徴とする。
【００３８】
第３の発明もディジタル画像データの記録方法を提供している。すなわち，一駒の画像について単位画像データのデータ量のｎ倍のデータ量の画像データを生成する固体電子撮像素子を含み，この固体電子撮像素子により被写体を撮像して得られる被写体像を表わす撮像画像データを第１の周期で出力する撮像手段，上記撮像により上記第１の撮影周期で出力される上記ｎ倍のデータ量をもつ画像データが上記単位画像データのデータ量であってそれぞれが一駒の画像を構成するように，上記撮像処理によって得られる画像データを抽出し，上記第１の撮影周期のｎ倍の第２の撮影周期の間に上記撮像処理により得られた撮像画像データのうちの所定の一駒分の撮像画像データであって上記画像データ抽出処理によって抽出された画像データの残りの画像データと，上記所定の一駒分の撮像画像データが上記画像データ抽出処理によって抽出された画像データとの差分データを演算し，上記画像データ抽出処理により抽出された画像データを上記記録媒体の単位画像データ記録領域に記録し，上記差分データ演算処理により得られた差分データを上記単位画像データ記録領域以外の補助記録領域に記録することを特徴とする。
【００３９】
第３の発明においても第１の発明と同様に，単位画像データ（フレーム画像データ）の画像データ量のｎ倍のデータ量の画像データを生成する固体電子撮像素子が用いられる。画素数の多い固体電子撮像素子が用いられているから，撮像の段階で高画質の画像の捕捉が行なわれる。
【００４０】
第３の発明においては，上記第１の撮影周期に得られるｎ倍のデータ量をもつ画像データについて単位画像データのデータ量であってそれぞれが一駒の画像を構成するように画像データの抽出処理が行なわれる。抽出された画像データは規格の記録方式にしたがって記録媒体の単位画像データ記録領域に記録される。
【００４１】
このようにして従来の規格に合致した形で記録されることになる。単位画像データ記録領域に記録された画像データを読み出すだけで動画再生が可能となる。画像データは撮影周期の間隔の短い上記第１の撮影周期ごとに得られたものであるため，被写体の動きに追随した動画が得られる。
【００４２】
第３の発明においては，上記差分データが記録媒体の補助記録領域に記録される。補助記録領域に記録された差分データと画像記録領域に記録された単位画像データのデータ量をもつ画像データとから，単位画像データのデータ量のｎ倍のデータ量をもつ高画質の画像を表わす画像データを生成することができる。これにより高画質の静止画の再生が可能となる。
【００４３】
第４の発明のディジタル画像データの記録装置は，一駒の画像について単位画像データのデータ量のｎ倍のデータ量の画像データを生成する固体電子撮像素子を含み，この固体電子撮像素子により被写体を撮像して得られる被写体像を表わす撮像画像データを第１の周期で出力する撮像手段，上記撮像手段から上記第１の撮影周期で出力される上記ｎ倍のデータ量をもつ画像データが上記単位画像データのデータ量であってそれぞれが一駒の画像を構成するように，上記撮像手段から出力される画像データを抽出する画像データ抽出手段，上記第１の撮影周期のｎ倍の第２の撮影周期の間に上記撮像手段から出力された撮像画像データのうちの所定の一駒分の撮像画像データであって上記画像データ抽出手段によって抽出された画像データの残りの画像データと，上記所定の一駒分の撮像画像データが上記画像データ抽出手段によって抽出された画像データとの差分データを演算する差分データ演算手段，および上記撮像手段から出力される所定の一駒分の撮像画像データを上記記録媒体の画像データ記録領域に記録し，上記差分データ演算手段から出力される差分データを上記単位画像データ記録領域以外の補助記録領域に記録する記録制御手段を備えていることを特徴とする。
【００４４】
第４の発明はディジタル画像データの記録方法も提供している。すなわち，一駒の画像について単位画像データのデータ量のｎ倍のデータ量の画像データを生成する固体電子撮像素子を含み，この固体電子撮像素子により被写体を撮像して得られる被写体像を表わす撮像画像データを第１の周期で出力する撮像手段，上記撮像により上記第１の撮影周期で出力される上記ｎ倍のデータ量をもつ画像データが上記単位画像データのデータ量であってそれぞれが一駒の画像を構成するように，上記撮像処理によって得られる画像データを抽出し，上記第１の撮影周期のｎ倍の第２の撮影周期の間に上記撮像処理により得られた撮像画像データのうちの所定の一駒分の撮像画像データであって上記画像データ抽出処理によって抽出された画像データの残りの画像データと，上記所定の一駒分の撮像画像データが上記画像データ抽出処理によって抽出された画像データとの差分データを演算し，上記撮像処理により得られた所定の一駒分の撮像画像データを上記記録媒体の単位画像データ記録領域に記録し，上記差分データ演算処理により得られた差分データを上記単位画像データ記録領域以外の補助記録領域に記録することを特徴とする。
【００４５】
第４の発明においても第２の発明と同様に，単位画像データ（フィールド画像データ）の画像データ量のｎ倍のデータ量の画像データを生成する固体電子撮像素子が用いられる。画素数の多い固体電子撮像素子が用いられているから，撮像の段階で高画質の画像の捕捉が行なわれる。
【００４６】
第４の発明においては，上記第１の撮影周期に得られるｎ倍データ量をもつ画像データについて単位画像データのデータ量であってそれぞれが一駒の画像を構成するように画像データの抽出処理が行なわれる。抽出された画像データは規格の記録方式にしたがって記録媒体の単位画像データ記録領域に記録される。
【００４７】
従来の規格と合致しているので画像データ記録領域に記録された画像データを読出すだけで動画再生が可能となる。画像データは間隔の短い第１の撮影周期ごとに得られるものであるため，被写体の動きに追随した動画が得られる。
【００４８】
第４の発明においても，上記差分データが記録媒体の補助記録領域に記録される。補助記録領域に記録された差分データと画像記録領域に記録された画像データとから，フレーム画像を表わすフレーム画像データが生成される。したがって高画質の静止画の再生が可能となる。
【００４９】
第３の発明または第４の発明においても，上記差分データ生成手段から出力される差分データを圧縮し，上記圧縮処理により圧縮させられた差分データを上記補助記録領域に記録してもよい。
【００５０】
これにより補助記録領域に記録される差分データの量が実質的に少なくなる。
【００５１】
この発明によるディジタル画像データの再生装置および方法は第３または第４の発明のようにして記録された記録媒体からの画像データの再生を行うものである。この再生装置および方法は，上述したディジタル・ビデオ・テープ・レコーダに適用することもできるし，独立したディジタル画像データ再生装置として実現することもできる。
【００５２】
ディジタル画像データ再生装置を，静止画の再生という観点から規定すると，この再生装置は，上記記録媒体の画像データ記録領域に記録された画像データおよび上記補助記録領域に記録された差分データを読取る読取手段，ならびに上記読取手段から読取られた画像データおよび差分データから，上記第２の撮影周期の間に上記撮像手段から出力される所定の一駒分の撮像画像データを生成して出力する静止画再生用画像データ生成手段を備えているものとして特徴づけられる。
【００５３】
またディジタル画像データ再生方法は，上記記録媒体の上記画像データ記録領域に記録された画像データおよび上記補助記録領域に記録された差分データを読取り，読取られた画像データおよび差分データから，上記第２の周期の間に得られる上記ｎ倍のデータ量をもち所定の一駒分の静止画像を表わす画像データを生成して出力するものとして特徴づけられる。
【００５４】
ディジタル画像データ再生装置を，動画と静止画の再生という観点から規定すると，この再生装置は，上記記録媒体の画像データ記録領域に記録された画像データおよび上記補助記録領域に記録された差分データを読取る読取手段，スチル再生モードとムービ再生モードとを選択的に設定するモード設定手段，上記モード設定手段によりムービ再生モードが設定されているときに上記読取手段から読取られた画像データを上記第１の周期ごとに出力する動画再生用画像データ出力手段，ならびに上記読取手段から読取られた画像データおよび差分データから上記第２の撮影周期の間に上記撮像手段から出力される所定の一駒分の画像データを生成して出力する静止画再生用画像データ生成手段を備えているものとして特徴づけられる。
【００５５】
またディジタル画像データ再生方法は，上記記録媒体の上記画像データ記録領域に記録された画像データおよび上記補助記録領域に記録された差分データを読取り，スチル再生モードとムービ再生モードとを選択的に設定可能としておき，ムービ再生モードが設定されているときに読取られた画像データを上記第１の周期ごとに出力し，スチル再生モードが設定されているときに，読取られた画像データおよび差分データから，上記第２の周期の間に得られる上記ｎ倍のデータ量をもち所定の一駒分の静止画像を表わす画像データを生成して出力するものとして特徴づけられる。
【００５６】
記録媒体の画像データ記録領域から画像データが読み出される。読み出された画像データはモニタ表示装置に与えられ，動画が表示される。撮影間隔の短い第１の撮影周期ごとに画像データが得られているので動きのある被写体であっても動きに追随した自然な動画が得られる。
【００５７】
静止画再生においては，上記補助記録領域に記録された差分データが読出される。この差分データと画像データ記録領域から読出された画像データとから，単位画像データのデータ量のｎ倍のデータ量をもつ画像データまたはフレーム画像データのデータ量をもつ画像データが生成される。生成された画像データは高画質のものであり，高画質の静止画像が得られる。
【００５８】
差分データが圧縮させられて記録されているときには，差分データはデータ伸張が施こされて，高画質画像を得るための画像データが生成される。
【００５９】
第５の発明のディジタル画像データの記録装置は，一駒の画像について単位画像データのデータ量のｎ倍のデータ量の画像データを生成する固体電子撮像素子を含み，この固体電子撮像素子により被写体を撮像して得られる被写体像を表わす撮像画像データを第１の周期で出力する撮像手段，上記撮像手段から上記第１の撮影周期で出力される上記ｎ倍のデータ量をもつ撮像画像データが上記単位画像データのデータ量であってそれぞれが一駒の画像を構成するように，上記撮像手段から出力される撮像画像データを抽出する画像データ抽出手段，上記撮像手段から出力された撮像画像データであって上記画像データ抽出手段によって抽出された画像データ以外の画像データを，上記画像データ抽出手段によって抽出された抽出画像データにもとづいて生成する画像データ生成手段，上記画像データ生成手段によって生成された生成画像データと，この生成された画像データに対応する画像データであって上記撮像手段から出力され上記抽出手段によって抽出された抽出画像データ以外の画像データとの差分データを演算する差分データ演算手段，および上記画像データ抽出手段により抽出された抽出画像データを上記記録媒体の単位画像データ記録領域に記録し，上記差分データ演算手段から出力される差分データを上記単位画像データ記録領域以外の補助記録領域に記録する記録制御手段を備えていることを特徴とする。
【００６０】
第５の発明は，ディジタル画像データの記録方法も提供している。すなわち，一駒の画像について単位画像データのデータ量のｎ倍のデータ量の画像データを生成する固体電子撮像素子を含み，この固体電子撮像素子により被写体を撮像して得られる被写体像を表わす撮像画像データを第１の周期で出力する撮像手段，上記撮像により上記第１の撮影周期で得られる上記ｎ倍のデータ量をもつ撮像画像データが上記単位画像データのデータ量であってそれぞれが一駒の画像を構成するように，上記撮像によって得られる撮像画像データを抽出し，上記撮像によって得られた撮像画像データであって上記画像データ抽出処理によって抽出された画像データ以外の画像データを，上記画像データ抽出処理によって抽出された画像データにもとづいて生成し，上記画像データ生成処理によって生成された生成画像データと，この生成された画像データに対応する画像データであって上記撮像により得られ上記抽出手段によって抽出された抽出画像データ以外の画像データとの差分データを演算し，上記画像データ抽出処理により抽出された抽出画像データを上記記録媒体の単位画像データ記録領域に記録し，上記差分データ演算処理によって得られた差分データを上記単位画像データ記録領域以外の補助記録領域に記録することを特徴とする。
【００６１】
第５の発明においても，単位画像データ（フィールド画像データ）の画像データ量のｎ倍のデータ量の画像データを生成する固体電子撮像素子が用いられる。画素数の多い固体電子撮像素子が用いられているから，撮像の段階で高画質の画像の捕捉が行なわれる。
【００６２】
第５の発明においては，上記第１の撮影周期に得られるｎ倍のデータ量をもつ画像データについて単位画像データのデータ量であってそれぞれが一駒の画像を構成するように画像データの抽出処理が行なわれる。抽出された画像データは規格の記録方式にしたがって記録媒体の単位画像データ記録領域に記録される。
【００６３】
従来の規格と合致しているので画像データ記録領域に記録された画像データを読出すだけで動画再生が可能となる。画像データは間隔の短い第１の撮影周期ごとに得られるものであるため，被写体の動きに追随した動画が得られる。
【００６４】
第５の発明においても，上記差分データが記録媒体の補助記録領域に記録される。補助記録領域に記録された差分データと画像記録領域に記録された画像データとから，フレーム画像を表わすフレーム画像データが生成される。したがって高画質の静止画の再生が可能となる。
【００６５】
上記においてあらかじめ定められた領域内における，上記差分データ演算処理により演算された差分データの和があらかじめ定められたしきい値以上かどうかを判定し，上記画像データ抽出処理により抽出された画像データを上記記録媒体の単位画像データ記録領域に記録し，上記判定により上記差分データの和が上記しきい値以上と判定された上記領域内においてその領域内における上記画像データ生成処理により生成された画像データを上記補助記録領域に記録するようにしてもよい。
【００６６】
上記画像データ生成処理は，上記欠如している画素およびこの欠如している画素に水平方向または垂直方向に隣接する位置に存在すべき画素の上下にある画素を表わすデータを抽出し，これらの画素を表わすデータの加算値を得，得られた加算値が水平方向または垂直方向に存在する画素についての加算値ほど増加または減少しているかどうかを判定し，増加または減少しているときには，上記欠如している画素の上下または左右の画素を表わすデータを用いて上記欠如している画素を表わすデータを生成し，増加または減少していないときには上記欠如している画素の上下または左右の画素および斜め上下の画素の３方向の画素の相関値を算出し，もっとも高い相関を与える画素を表わすデータを用いて上記欠如している画素を表わすデータを生成することにより実現できる。
【００６７】
上記差分データ演算処理により演算された差分データを圧縮し，上記記録制御は，上記圧縮処理により圧縮された差分データを上記補助記録領域に記録することもできる。
【００６８】
これにより補助記録領域に記録される差分データが実質的に少なくなる。差分データのデータ量が比較的多くとも補助記録領域に記録することが可能となる。
【００６９】
この発明によるディジタル画像データの再生装置および方法は第５の発明のようにして記録された記録媒体からの画像データの再生を行うものである。この再生装置および方法は，上述したディジタル・ビデオ・テープ・レコーダに適用することもできるし，独立したディジタル画像データ再生装置として実現することもできる。
【００７０】
ディジタル画像データ再生装置を，静止画の再生という観点から規定すると，この再生装置は，上記単位画像データ記録領域に記録された画像データおよび上記補助記録領域に記録された上記差分データを読取る読取手段，ならびに上記読取手段により読取られた画像データおよび差分データから上記撮像手段から出力された画像データであって上記画像データ抽出手段によって抽出された画像データ以外の画像データを生成し，生成された画像データと，上記読取手段によって読取られた画像データとを合成して静止画像データを生成する静止画像データ生成手段を備えているものとして特徴づけられる。
【００７１】
またディジタル画像データ再生方法は，上記記録媒体の上記画像データ記録領域に記録された画像データおよび上記補助記録領域に記録された差分データを読取り，読取られた画像データおよび差分データから，上記第２の周期の間に得られる上記ｎ倍のデータ量をもつ静止画像を表わす画像データを生成して出力するものとして特徴づけられる。
【００７２】
ディジタル画像データ再生装置を動画と静止画の再生という観点から規定すると，この再生装置は，上記単位画像データ記録領域に記録された画像データおよび上記補助記録領域に記録された上記差分データを読取る読取手段，スチル再生モードとムービ再生モードとを選択的に設定するモード設定手段，上記モード設定手段によりムービ再生モードが設定されたときには，上記読取手段により読取られた画像データを動画再生用に出力する動画像データ生成手段ならびに上記モード設定手段によりスチル再生モードが設定されたときには，上記読取手段により読取られた画像データおよび差分データから上記撮像手段から出力された画像データであって上記画像データ抽出手段によって抽出された画像データ以外の画像データを生成し，生成された画像データと，上記読取手段によって読取られた画像データとを合成して静止画像データを生成する静止画像データ生成手段を備えているものとして特徴づけられる。
【００７３】
またディジタル画像データ再生方法は，上記記録媒体の上記画像データ記録領域に記録された画像データおよび上記補助記録領域に記録された差分データを読取り，スチル再生モードとムービ再生モードとを選択的に設定可能としておき，ムービ再生モードが設定されているときに読取られた画像データを上記第１の周期ごとに出力し，スチル再生モードが設定されているときに読取られた画像データおよび差分データから，上記第２の周期の間に得られる上記ｎ倍のデータ量をもつ静止画像を表わす画像データを生成して出力するものとして特徴づけられる。
【００７４】
この場合においても，記録媒体の画像データ記録領域から画像データが読み出される。読み出された画像データはモニタ表示装置に与えられ，動画が表示される。撮影間隔の短い第１の撮影周期ごとに画像データが得られているので動きのある被写体であっても動きに追随した自然な動画が得られる。
【００７５】
静止画再生においては，上記補助記録領域に記録された差分データが読出される。この差分データと画像データ記録領域から読出された画像データとから，単位画像データのデータ量のｎ倍のデータ量をもつ画像データまたはフレーム画像データのデータ量をもつ画像データが生成される。生成された画像データは高画質のものであり，高画質の静止画像が得られる。
【００７６】
差分データが圧縮させられて記録されているときには，差分データはデータ伸張が施こされて，高画質画像を得るための画像データが生成される。
【００７７】
第６の発明のディジタル画像データ記録装置は，一駒の画像について単位画像データのデータ量のｎ倍のデータ量の画像データを生成する固体電子撮像素子を含み，この固体電子撮像素子により被写体を撮像して得られる被写体像を表わす撮像画像データを第１の周期で出力する撮像手段，上記撮像手段から上記第１の撮影周期で出力される上記ｎ倍のデータ量をもつ撮像画像データが，上記単位画像データのデータ量となるように上記撮像手段から出力される画像データを平均化する平均化手段，上記平均化手段によって平均化された画像データと，この平均化された画像データによって表わされる画素に対応する画素を表わすデータであって上記撮像手段から出力された撮像画像データとの差分データを演算する差分データ演算手段，上記平均化手段により平均化された画像データを上記記録媒体の単位画像データ記録領域に記録し，上記差分データ演算手段から出力される差分データを上記単位画像データ記録領域以外の補助記録領域に記録する記録制御手段を備えていることを特徴とする。
【００７８】
第６の発明はディジタル画像データの記録方法も提供している。すなわち，一駒の画像について単位画像データのデータ量のｎ倍のデータ量の画像データを生成する固体電子撮像素子を含み，この固体電子撮像素子により被写体を撮像して被写体像を表わす撮像画像データを第１の周期で得，上記撮像によって上記第１の撮影周期で出力される上記ｎ倍のデータ量をもつ撮像画像データが，上記単位画像データのデータ量となるように上記撮像によって得られる画像データを平均化し，上記平均化処理によって平均化された画像データと，この平均化された画像データによって表わされる画素に対応する画素を表わすデータであって上記撮像により得られた撮像画像データとの差分データを演算し，上記平均化処理により平均化された画像データを上記記録媒体の単位画像データ記録領域に記録し，上記差分データ演算処理により得られた差分データを上記単位画像データ記録領域以外の補助記録領域に記録することを特徴とする。
【００７９】
第６の発明においても，単位画像データ（フィールド画像データ）の画像データ量のｎ倍のデータ量の画像データを生成する固体電子撮像素子が用いられる。画素数の多い固体電子撮像素子が用いられているから，撮像の段階で高画質の画像の捕捉が行なわれる。
【００８０】
第６の発明においては，上記第１の撮影周期に得られるｎ倍データ量をもつ画像データについて単位画像データのデータ量であってそれぞれが一駒の画像を構成するように画像データの抽出処理が行なわれる。抽出された画像データは規格の記録方式にしたがって記録媒体の単位画像データ記録領域に記録される。
【００８１】
従来の規格と合致しているので画像データ記録領域に記録された画像データを読出すだけで動画再生が可能となる。画像データは間隔の短い第１の撮影周期ごとに得られるものであるため，被写体の動きに追随した動画が得られる。
【００８２】
第６の発明においても，上記差分データが記録媒体の補助記録領域に記録される。補助記録領域に記録された差分データと画像記録領域に記録された画像データとから，フレーム画像を表わすフレーム画像データが生成される。したがって高画質の静止画の再生が可能となる。
【００８３】
第６の発明においても，あらかじめ定められた領域内における，上記差分データ演算処理により演算された差分データの和があらかじめ定められたしきい値以上かどうかを判定し，上記画像データ抽出処理により抽出された画像データを上記記録媒体の単位画像データ記録領域に記録し，上記判定により上記差分データの和が上記しきい値以上と判定された上記領域内においてその領域内における上記画像データ生成処理により生成された画像データを上記補助記録領域に記録するとよい。
【００８４】
また，上記差分データ演算処理により演算された差分データを圧縮し，上記記録制御処理は，上記圧縮により圧縮された差分データを上記補助記録領域に記録することが好ましい。
【００８５】
これにより，差分データのデータ量が実質的に少なくなるからである。
【００８６】
この発明によるディジタル画像データの再生装置および方法は第６の発明のようにして記録された記録媒体からの画像データの再生を行うものである。この再生装置および方法は，上述したディジタル・ビデオ・テープ・レコーダに適用することもできるし，独立したディジタル画像データ再生装置として実現することもできる。
【００８７】
ディジタル画像データ再生装置を，静止画の再生という観点から規定すると，この再生装置は，上記単位画像データ記録領域に記録された画像データおよび上記補助記録領域に記録された上記差分データを読取る読取手段，ならびに上記読取手段により読取られた画像データおよび差分データから上記撮像手段から出力された画像データであって上記画像データ抽出手段によって抽出された画像データ以外の画像データを生成し，生成された画像データと，上記読取手段によって読取られた画像データとを合成して上記ｎ倍のデータ量をもつ静止画像データを生成する静止画像データ生成手段を備えているものと特徴づけられる。
【００８８】
またディジタル画像データ再生方法は，上記記録媒体の上記画像データ記録領域に記録された画像データおよび上記補助記録領域に記録された差分データを読取り，読取られた画像データおよび差分データから，上記第２の周期の時点で得られる上記ｎ倍のデータ量をもつ静止画像を表わす画像データを生成して出力するものとして特徴づけられる。
【００８９】
ディジタル画像データの再生装置を動画と静止画の再生という観点から規定すると，この再生装置は，上記単位画像データ記録領域に記録された画像データおよび上記補助記録領域に記録された上記差分データを読取る読取手段，スチル再生モードとムービ再生モードとを選択的に設定するモード設定手段，上記モード設定手段によりムービ再生モードが設定されたときには，上記読取手段により読取られた画像データを動画再生用に出力する動画像データ生成手段ならびに上記モード設定手段によりスチル再生モードが設定されたときには，上記読取手段により読取られた画像データおよび差分データから上記撮像手段から出力された画像データであって上記画像データ抽出手段によって抽出された画像データ以外の画像データを生成し，生成された画像データと，上記読取手段によって読取られた画像データとを合成して上記ｎ倍のデータ量をもつ静止画像データを生成する静止画像データ生成手段を備えているものとして特徴づけられる。
【００９０】
またディジタル再生方法は，上記記録媒体の上記画像データ記録領域に記録された画像データおよび上記補助記録領域に記録された差分データを読取り，スチル再生モードとムービ再生モードとを選択的に設定可能としておき，ムービ再生モードが設定されているときに上記読取手段から読取られた画像データを上記第１の周期ごとに出力し，スチル再生モードが設定されているときに読取られた画像データおよび差分データから，上記第２の周期の時点で得られる上記ｎ倍のデータ量をもつ静止画像を表わす画像データを生成して出力するものとして特徴づけられる。
【００９１】
第７の発明のディジタル画像データの記録装置は，一駒の画像について単位画像データの画像データ量のｎ倍のデータ量を生成する固体電子撮像素子を含み，上記固体電子撮像素子を用いて被写体を撮像して得られた被写体像を表わす画像データを出力する撮像手段，上記単位画像データのデータ量であってそれぞれが一駒の画像を構成するように，上記撮像手段から出力されたｎ倍のデータ量を有する画像データを分ける画像データ分割手段，上記画像データ分割手段によって分割された画像データのうち，一の画像データの高周波成分を抽出する高周波成分データ抽出手段，および上記画像データ分割手段によって分割された画像データのうち，上記一の画像データ以外の他の画像データを記録媒体の画像データ記録領域に記録し，上記高周波成分データ抽出手段により抽出された高周波成分データを上記画像データ記録領域以外の補助記録領域に記録する記録制御手段を備えていることを特徴とする。
【００９２】
第７の発明はディジタル画像データの記録方法も提供している。すなわち，一駒の画像について単位画像データの画像データ量のｎ倍のデータ量を生成する固体電子撮像素子を用いて被写体を撮像して得られた被写体像を表わす画像データを得，上記単位画像データのデータ量であってそれぞれが一駒の画像を構成するように，上記撮像によって得られたｎ倍のデータ量を有する画像データを分け，上記画像データ分割処理によって分割された画像データのうち，一の画像データの高周波成分を抽出し，上記画像データ分割手段によって分割された画像データのうち，上記一の画像データ以外の他の画像データを記録媒体の画像データ記録領域に記録し，上記高周波成分データ抽出処理により抽出された高周波成分データを上記画像データ記録領域以外の補助記録領域に記録することを特徴とする。
【００９３】
第７の発明においても，単位画像データのデータ量のｎ倍のデータ量の画像データを生成する固体電子撮像素子を用いて被写体の撮像が行なわれる。固体電子撮像素子は画素数が多いため撮像の段階で高画質の画像の捕捉が行なわれている。
【００９４】
第７の発明では，上記ｎ倍のデータ量をもつ画像データは単位画像データのデータ量となりかつそれぞれが一駒の画像を構成するように分けられる。分けられた画像データのうち一の画像データが圧縮されて画像データ記録領域に記録され，上記他の画像データについては高周波成分が抽出され抽出された高周波成分が上記補助記録領域に記録される。
【００９５】
画像再生時においては上記画像データ記録領域に記録された画像データと上記補助記録領域に記録された高周波成分とから再生用画像データが生成される。再生用画像データは高周波成分を用いて生成されているから細かい部分の画像も再生画像として詳細に得ることができる。
【００９６】
抽出した高周波成分は圧縮処理を行ない，上記補助記録領域に記録してもよい。これにより実質的に多くの高周波成分を上記補助記録領域に記録することが可能となり，より高精細な再生画像を得ることができる。
【００９７】
この発明によるディジタル画像データの再生装置および方法は上述の発明のようにして記録された記録媒体からの画像データの再生を行うものである。この再生装置および方法は，上述したディジタル・ビデオ・テープ・レコーダに適用することもできるし，独立したディジタル画像データ再生装置として実現することもできる。
【００９８】
ディジタル画像データ再生装置を，静止画の再生という観点から規定すると，この再生装置は，上記記録媒体の画像データ記録領域に記録された圧縮画像データおよび上記補助記録領域に記録された差分データを読取る読取手段，ならびに上記読取手段により読取られた画像データおよび差分データから上記ｎ倍のデータ量をもつ一駒の高画質静止画像を構成する画像データを生成する静止画像データ生成手段を備えているものとして特徴づけられる。
【００９９】
またディジタル画像データの再生方法は，上記記録媒体の画像データ記録領域に記録された圧縮画像データおよび上記補助記録領域に記録された差分データを読取り，読取られた画像データおよび差分データから上記ｎ倍のデータ量をもつ一駒の高画質静止画像を構成する画像データを生成するものとして特徴づけられる。
【０１００】
ディジタル画像データの再生装置を動画と静止画の再生という観点から規定すると，上記記録媒体の画像データ記録領域に記録された圧縮画像データおよび上記補助記録領域に記録された差分データを読取る読取手段，スチル再生モードとムービ再生モードとを選択的に設定するモード設定手段，上記モード設定手段によりムービ再生モードが設定されたときには上記読取手段により読取られた画像データを出力する動画像データ出力手段，ならびに上記モード設定手段によりスチル再生モードが設定されたときには上記読取手段により読取られた画像データおよび差分データから上記ｎ倍のデータ量をもつ一駒の高画質静止画像を構成する画像データを生成する静止画像データ生成手段を備えているものとして特徴づけられる。
【０１０１】
またディジタル画像データの再生方法は，上記記録媒体の画像データ記録領域に記録された圧縮画像データおよび上記補助記録領域に記録された差分データを読取り，スチル再生モードとムービ再生モードとを選択的に設定可能としておき，ムービ再生モードが設定されたときには上記第１のデータ伸張手段によりデータ伸張された画像データを出力し，スチル再生モードが設定されたときには読取られた画像データおよび差分データから上記ｎ倍のデータ量をもつ一駒の高画質静止画像を構成する画像データを生成することを特徴とする。
【０１０２】
【実施例の説明】
（１）  第１実施例
ディジタル・ビデオ・テープ・レコーダの構成および動作の説明に先だち，ディジタル・ビデオ・テープ・レコーダによる磁気テープへの記録方式に関する既存の標準的な業界規格について説明しておく。
【０１０３】
磁気テープの記録フォーマットが図８（Ａ）  および（Ｂ）  に示されている。図８（Ａ）  は磁気テープ８のトラックＴｒを示すもので，磁気テープ８の長手方向に対して斜め方向に一定の角度で多数のトラックＴｒが形成される。これらの多数のトラックＴｒのうち連続する１０個のトラックを用いて１フレーム分のディジタル画像データが記録される。
【０１０４】
図８（Ｂ）  にトラック・フォーマットが示されている。１つのトラックＴｒには，サブコード記録領域，ビデオ記録領域，補助記録領域，オーディオ記録領域およびトラック情報記録領域が含まれている。サブコード記録領域には高速検索のためのタイムコードや絶対トラック番号などの情報が記録される。ビデオ記録領域には被写体像を表わすディジタル画像データが記録される。オーディオ記録領域には音を表わすデータが記録される。トラック情報記録領域には磁気ヘッドがトラックＴｒの中心をトレースするための，トラックＴｒの基準となる情報が記録される。補助記録領域は飛び飛びに設けられ，この補助記録領域には付加情報が記録される。各領域の間に設けられるギャップは図示が省略されている。
【０１０５】
ディジタル・ビデオ・テープ・レコーダの撮像部に用いられるＣＣＤは一般的には（従来）水平ＣＣＤ転送クロック周波数数１３．５ＭＨｚである，水平方向７２０  画素，垂直方向４８０  画素の約３５万画素の画素数をもつものが用いられる。このようなＣＣＤを用いて得られた１フレーム分のディジタル画像データが，磁気テープ８の１０トラックに記録される。これが既存の規格である。
【０１０６】
磁気テープ８に記録される画像データによって表わされる画像の画質を向上させるためには，画素数の多いＣＣＤを用いれば良い。しかしながら，ディジタル・ビデオ・テープ・レコーダにおいては水平方向７２０  画素，垂直方向４８０  画素の約３５万画素ディジタル画像データを，１０個のトラックに記録するようにその規格が定められているので，３５万画素の画素数よりも画素数の多いＣＣＤを用いて被写体を撮像して得られたディジタル画像データを磁気テープ８に記録すると，この規格から外れてしまう。この発明によるディジタル・ビデオ・テープ・レコーダは，ディジタル・ビデオ・テープ・レコーダに一般的に用いられる３５万画素の画素数よりも多い画素数をもつＣＣＤを用いて被写体を撮像し，かつディジタル・ビデオ・テープ・レコーダの従来からの記録規格に合致した画像データの記録が可能である。
【０１０７】
図１はこの発明の実施例を示すもので，ディジタル画像データの記録および再生が可能なディジタル・ビデオ・テープ・レコーダ（ＤＶＴＲ）の電気的構成を示すブロック図である。ディジタル・ビデオ・テープ・レコーダの全体の動作はシステム・コントローラ２１によって統括される（制御線は図示略）。
【０１０８】
このディジタル・ビデオ・テープ・レコーダの撮像部で用いられるＣＣＤ１１は，図２に示されているように水平方向１４４０画素，垂直方向４８０  画素の約７０万画素の画素数をもつものであり，３５万画素ＣＣＤの２倍の量の画像データが得られる。このような７０万画素ＣＣＤ１１から得られる１フレーム分の画像データのデータ量は，３５万画素ＣＣＤの２フレーム分の画像データのデータ量に相当する。
【０１０９】
この実施例のディジタル・ビデオ・テープ・レコーダではＣＣＤ１１から得られる１駒分の画像データを３５万画素の２フレームの画像データに分け，各１フレーム分をそれぞれ１０トラックずつを用いて磁気テープ８に記録することにより，高画質撮影を達成しつつ，ディジタル・ビデオ・テープ・レコーダの従来からの記録規格に合致した画像データの記録を可能とする。
【０１１０】
図１に示すディジタル・ビデオ・テープ・レコーダでは，静止画再生のための画像データの記録処理と動画再生のための画像データの記録処理が異なる。
【０１１１】
図５は，７０万画素の画素数をもつフレーム画像データが連続的に与えられる様子を斜視図的に示すものである。図６は，静止画の記録再生処理を平面的に示し，図７は動画の記録再生処理を平面的に示している。
【０１１２】
ディジタル・ビデオ・テープ・レコーダにおいては記録モードが設定されることにより，約７０万画素の画素数をもつＣＣＤ１１によって１／３０秒の一定周期で被写体が連続的に撮影される。これにより図５に示すように１／３０秒ごとに約７０万画素の画素数をもつ画像データが周期的に得られる。得られる画像データのうち奇数番めに得られるフレーム画像データ（図５に示す例では第１フレーム画像データＦＬ１，第３フレーム画像データＦＬ３，第５フレーム画像データＦＬ５，第７フレーム画像データＦＬ７）を奇数フレーム画像データといい，偶数番めに得られるフレーム画像データ（図５に示す例では第２フレーム画像データＦＬ２，第４フレーム画像データＦＬ４，第６フレーム画像データＦＬ６，第８フレーム画像データＦＬ８）を偶数フレーム画像データということにする。
【０１１３】
図６を参照して，静止画記録再生処理においては１／３０秒ごとに与えられ水平方向１４４０画素，垂直方向４８０  画素の約７０万画素のフレーム画像データのうち偶数フレーム画像データ（ＦＬ２，ＦＬ４）については記録されず，いわゆる駒落とし処理が行なわれる。これに対して奇数フレーム画像データ（ＦＬ１，ＦＬ３）については水平方向１４４０画素，垂直方向４８０  画素の約７０万画素のフレーム画像データが，水平方向７２０  画素，垂直方向４８０  画素の約３５万画素の２つのフレーム画像データ（ＦＬ１ａおよびＦＬ１ｂ，ＦＬ３ａおよびＦＬ３ｂ）に分割される。もちろん，水平方向７２０  画素，垂直方向４８０  画素の３５万画素に分けるのに限らず，約７０万画素のフレーム画像データが約３５万画素の２つのフレーム画像データに分けられればよい。約３５万画素の２つのフレーム画像データは，１つのフレーム画像データずつ１０トラックを用いて磁気テープ８のビデオ記録領域ａ２  に記録される。
【０１１４】
このようにして記録されたフレーム画像データの再生時においては，同一の７０万画素のフレーム画像データ（Ｆ１またはＦＬ３）が分けられて記録された２つの３５万画素のフレーム画像データ（ＦＬ１ａおよびＦＬ１ｂまたはＦＬ３ａまたはＦＬ３ｂ）が合わされてもとの７０万画素のフレーム画像データ（ＦＬ１およびＦＬ２）が復元される。このフレーム画像データは従来の約３５万画素の２倍の約７０万画素の画素数を有しているので，高精細な画像となり静止画再生に好適なものとなる。
【０１１５】
図７を参照して，動画記録再生処理においては１／３０秒ごとに与えられ水平方向１４４０画素，垂直方向４８０  画素の約７０万画素のフレーム画像データ（ＦＬ１，ＦＬ２，ＦＬ３，ＦＬ４）は，それぞれ水平方向７２０  画素，垂直方向４８０  画素の約３５万画素のフレーム画像データのデータ量となるように画像データの抽出が行なわれる（ＦＬ１ａ，ＦＬ２ａ，ＦＬ３ａ，ＦＬ４ａ）。抽出された約３５万画素のフレーム画像データは，隣接するフレーム画像データ間においてその差分が演算される（ＦＬ１ａ−ＦＬ２ａおよびＦＬ３ａ−ＦＬ４ａ）。演算により得られた差分データ（ＦＬ１ａ−ＦＬ２ａおよびＦＬ３ａ−ＦＬ４ａ）は，トラックの補助記録領域ａ３  に記録される。
【０１１６】
動画再生時においては，トラックの補助記録領域ａ３  に記録された差分データ（ＦＬ１ａ−ＦＬ２ａおよびＦＬ３ａ−ＦＬ４ａ）が磁気テープ８から読出される。また静止画記録再生処理においてトラックのビデオ記録領域ａ２  に記録された３５万画素のフレーム画像データのうち一方の３５万画素のフレーム画像データ（ＦＬ１ａおよびＦＬ３ａ）が磁気テープ８から読出される。読出された３５万画素のフレーム画像データ（ＦＬ１ａおよびＦＬ３ａ）から差分データ（ＦＬ１ａ−ＦＬ２ａおよびＦＬ３ａ−ＦＬ４ａ）が減算される（ＦＬ１ａ−（ＦＬ１ａ−ＦＬ２ａ）およびＦＬ３ａ−（ＦＬ３ａ−ＦＬ４ａ））。これにより，磁気テープ８に記録されていない，約３５万画素の偶数フレーム画像データ（ＦＬ２ａおよびＦＬ４ａ）が復元される。再生時において１／３０秒ごとに連続した３５万画素のフレーム画像データが得られる。したがって比較的動きの滑らかな動画が再生される。
【０１１７】
再び図１を参照して，記録モードとなると約７０万画素の画素数をもつＣＣＤ１１によって１／３０秒の周期で被写体が連続的に撮影される。撮影のためのシャッタ速度は適当（たとえば１／６０秒，または必要に応じてこれよりも短い時間）になるように，いわゆる電子シャッタ制御により定められる。ＣＣＤ１１から出力される，被写体像を表わす映像信号はＡＤ変換器１２に与えられディジタル画像データに変換される。ディジタル画像データは記録画像データ処理回路１３に与えられる。
【０１１８】
記録画像データ処理回路１３は，図６を参照して説明したように静止画記録再生処理における，７０万画素の奇数フレーム画像データを２つの３５万画素のフレーム画像データに分けて出力する処理および図７を参照して説明したように動画記録再生処理における，差分データを生成して出力する処理を行なう回路である。記録画像データ処理回路１３の構成およびその具体的処理については後述する。
【０１１９】
記録画像データ処理回路１３から出力される３５万画素のフレーム画像データはデータ圧縮回路１４を介して（単に通過して）フレーム・メモリ１９に与えられ一旦記憶される。フレーム・メモリ１９に記憶されたフレーム画像データは順次データ圧縮回路１４に与えられＤＣＴ（Ｄｉｓｃｒｅｔｅ  Ｃｏｓｉｎｅ  Ｔｒａｎｓｆｏｒｍ  ）処理などのデータ圧縮が施こされる。データ圧縮が施こされた画像データは誤り訂正符号付加回路１５を介して（単に通過して）フレーム・メモリ２０に与えられ一旦記憶される。フレーム・メモリ２０に記憶されたフレーム画像データは，順次誤り訂正符号付加回路１５に与えられる。記録画像データ処理回路１３から出力される差分データは一旦システム・コントローラ２１に与えられ，システム・コントローラ２１から誤り訂正符号付加回路１５に転送させられる。
【０１２０】
図１に示すディジタル・ビデオ・テープ・レコーダにおいては画像データの記録に加えて音声データの記録も可能であり，音声データの記録のためにマイク１７が設けられている。マイク１７から出力される音声信号はＡＤ変換器１８に与えられディジタル音声データに変換されて誤り訂正符号付加回路１５に与えられる。
【０１２１】
誤り訂正符号付加回路１５において，フレーム・メモリ２０から与えられた画像データには誤り訂正符号が付加される。また誤り訂正符号付加回路１５において，与えられる画像データ，音声データおよび差分データがそれぞれ磁気テープ８のトラックのビデオ記録領域ａ２  ，オーディオ記録領域ａ４  および補助記録領域ａ３  に記録されるようにデータ処理が施こされる。また磁気テープ８のトラックの補助記録領域ａ３  には補助記録領域ａ３  に差分データが記録されていることを表わす識別データおよび画像データのフレーム番号を表わすデータも記録される。
【０１２２】
誤り訂正符号付加回路１５から出力されるデータは，メカ・コントローラ２２によって制御される記録符号化回路１６に与えられ，符号化（たとえばＮＲＺＩ符号化）されて記録再生増幅回路２３に与えられる。記録再生増幅回路２３において増幅されたデータはヘッド・シリンダ２４に含まれる磁気ヘッドに与えられる。これにより磁気ヘッドによって磁気テープ８の各トラックのうち連続する１０個のトラックのビデオ記録領域ａ２  に３５万画素のフレーム画像データが記録され，オーディオ記録領域ａ４  に音声データが記録され，補助記録領域ａ３  に差分データ，差分データが記録されていることを表わす識別データおよびフレーム番号を表わすデータが記録される。
【０１２３】
図１に示すディジタル・ビデオ・テープ・レコーダは磁気テープ８に記録されたディジタル画像データおよびディジタル音声データの再生も可能である。
【０１２４】
ディジタル画像データの再生モードにおいて，磁気テープ８に記録されたディジタル画像データ，ディジタル音声データ，差分データ，その他のデータがヘッド・シリンダ２４に含まれる磁気ヘッドによって読取られ，記録再生増幅回路２３に与えられる。記録再生増幅回路２３において増幅されたデータは復調回路３１に与えられる。復調回路３１においてデータ復調が行なわれ誤り訂正回路３２に与えられる。差分データは誤り訂正回路３２からシステム・コントローラ２１に与えられ，システム・コントローラ２１から再生画像データ処理回路３４に与えられる。ディジタル画像データおよびディジタル音声データは誤り訂正回路３２からフレーム・メモリ２０に与えられ一旦記憶される。フレーム・メモリ２０に記憶されたディジタル音声データは順次読出されＤＡ変換器４０に与えられ，アナログ音声信号に変換される。このアナログ音声信号はスピーカ４１に与えられることにより，音声として出力される。フレーム・メモリ２０に記憶されたディジタル画像データは順次読出され誤り訂正回路３２に与えられる。復調回路３１において復調された画像データにデータ誤りがあると，誤り訂正回路３２において誤り訂正処理が行なわれる。誤り訂正処理が行なわれたディジタル画像データはデータ伸長回路３３を介してフレーム・メモリ１９に与えられ記憶される。フレーム・メモリ１９に記憶されたディジタル画像データは順次読出され，圧縮された画像データのデータ伸長処理が行なわれる。データ伸長回路３３においてデータ伸長されたディジタル画像データは３５万画素のフレーム画像データずつ再生画像データ処理回路３４に与えられる。
【０１２５】
再生画像データ処理回路３４は，スチル再生モードが設定されているときに，図６を参照して説明したように，同一の７０万画素のフレーム画像データから分けられた２つの３５万画素のフレーム画像データを合成し，一駒を表わす７０万画素のフレーム画像データに合成する画像データ合成処理を行ない，合成された７０万画素の静止画用フレーム画像データを出力する回路である。また再生画像データ処理回路３４は，ムービ再生モードが設定されているときに，図７を参照して説明したように差分データと奇数番めの３５万画素のフレーム画像データとから，１／３０秒ごとに連続した奇数番めおよび偶数番めの３５万画素の動画用フレーム画像データを生成して出力する。再生画像データ処理回路３４の構成およびその具体的処理について詳しくは後述する。
【０１２６】
ムービ再生モードが設定されているときには，再生画像データ処理回路３４から出力される３５万画素の動画用フレーム画像データはＤＡ変換器３８に与えられ，アナログ映像信号に変換される。アナログ映像信号は表示装置３９に与えられ，動画再生が行なわれる。表示装置３９には１／３０秒周期で撮影された映像信号が１／３０秒ごとに与えられるので，比較的滑らかな動画が再生される。
【０１２７】
スチル再生モードが設定されているときには，再生画像データ処理回路３４から出力される７０万画素のフレーム画像データは垂直補間回路３５に与えられる。７０万画素のフレーム画像データは水平方向１４４０画素，垂直方向４８０  画素から構成される。これに対し３５万画素のフレーム画像データは水平方向７２０  画素，垂直方向４８０  画素から構成される。したがって７０万画素のフレーム画像データは水平方向については解像度が改善されているが，垂直方向については３５万画素のフレーム画像データと同じである。このため垂直解像度を改善するのが垂直補間回路３５である。垂直補間回路３５における垂直補間処理について詳しくは後述する。垂直補間回路３５から出力される画像データはＤＡ変換器３６に与えられ，アナログ映像信号に変換される。アナログ映像信号はプリンタ３７に与えられ，プリント出力される。プリンタ３７から出力されるプリントは７０万画素のＣＣＤ１１を用いて得られたものであり，高精細なものとなっている。スチル再生モードにおいては垂直補間処理が行なわれているが，必ずしも必要ではない。その場合には，垂直補間回路３５はスキップされる。
【０１２８】
図３は，記録画像データ処理回路１３の構成を示している。
【０１２９】
７０万画素のフレーム画像データは切替スイッチ５０を経てフレーム・メモリ５１または５２のいずれかに入力し格納される。切替スイッチ５０は７０万画素のフレーム画像データが通過するごとに切替えられる。したがって，入力する１フレーム分の７０万画素のフレーム画像データはフレーム・メモリ５１または５３に交互に与えられる。フレーム・メモリ５１および５３は７０万画素のフレーム画像データを記憶することができる容量をもつ。たとえば第１フレーム画像データＦＬ１がフレーム・メモリ５１に与えられたとすると，次の第２フレーム画像データＦＬ２がフレーム・メモリ５３に与えられる。ここでは奇数フレーム画像データがフレーム・メモリ５１に記憶され，偶数フレーム画像データがフレーム・メモリ５３に記憶される。
【０１３０】
フレーム・メモリ５１に記憶された７０万画素の奇数フレーム画像データは順次画素抽出回路５２に与えられる。画素抽出回路５２において７０万画素の奇数フレーム画像データがそれぞれ３５万画素の２つのフレーム画像データ（ＦＬ１ａおよびＦＬ１ｂ）となるように分割され出力される。画素抽出回路５２から出力される３５万画素の２つのフレーム画像データ（ＦＬ１ａおよびＦＬ１ｂ）は上述したようにデータ圧縮回路１４に与えられデータ圧縮が施こされ，磁気テープ８に記録される。また画素抽出回路５２においては，２つに分けられた３５万画素のフレーム画像データ（ＦＬ１ａとＦＬ１ｂ）のうち一方のフレーム画像データ（ＦＬ１ａ）は動き検出回路５５にも与えられる。
【０１３１】
フレーム・メモリ５３に記憶された７０万画素の偶数フレーム画像データは，順次画素抽出回路５４に与えられる。画素抽出回路５４において，画素抽出回路５２から動き検出回路５５に与えられた３５万画素のフレーム画像データ（ＦＬ１ａ）に対応する３５万画素のフレーム画像データが，与えられる７０万画素のフレーム画像データ（ＦＬ２）から抽出される（ＦＬ２ａ）。画素抽出回路５４から出力される３５万画素のフレーム画像データは動き検出回路５５に与えられる。
【０１３２】
動き検出回路５５は与えられる，２つの３５万画素のフレーム画像データ（ＦＬ１ａとＦＬ２ａ）から，これらのフレーム画像データによって表わされる画像間に動きがあるかどうかを，ブロック（たとえば８×８画素）ごとに比較する回路である。動き検出回路５５において，動きがあると判断されたブロックの動きの有無はレベル差があらかじめ定められたしきい値以上か否かによって検出される。画像データについては２つの３５万画素のフレーム画像データ（たとえばＦＬ１ａとＦＬ２ａ）それぞれが差分演算回路５６に与えられる。動き検出回路５５において動きがないと判断されたブロックの画像データについては差分演算回路５６には与えられない。
【０１３３】
差分演算回路５６において，与えられる画像データの差分運算が施こされ（たとえばＦＬ１ａ−ＦＬ２ａ），この差分データが差分データ圧縮回路５７に与えられる。差分データ圧縮回路５７において圧縮された差分データがシステム・コントローラ２１に与えられ上述のように磁気テープ８の補助記録領域ａ３  に記録される。
【０１３４】
図４は再生画像データ処理回路３４の構成を示している。
【０１３５】
３５万画素のフレーム画像データは切替スイッチ６０を経てフレーム・メモリ６１または６２のいずれかに入力し格納される。切替スイッチ６０は３５万画素のフレーム画像データが通過するごとに切替えられる。したがって，入力する１フレーム分の３５万画素のフレーム画像データはフレーム・メモリ６１または６３に交互に与えられる。フレーム・メモリ６１および６３に与えられる２つの３５万画素のフレーム画像データは，合成することにより一駒の画像を表わす７０万画素のフレーム画像データとなるものである。
【０１３６】
フレーム・メモリ６１および６３に記憶された３５万画素のフレーム画像データ（ＦＬ１ｂおよびＦＬ１ａ）は順次読出され画像合成回路６２に与えられる。画像合成回路６２において，２つの３５万画素のフレーム画像データが合成され，一駒の画像を表わす７０万画素のフレーム画像データ（ＦＬ１）が生成されて出力される。画像合成回路６２から出力される７０万画素のフレーム画像データが，必要に応じて垂直補間処理が施こされ上述のようにプリンタ３７においてプリントされる。
【０１３７】
フレーム・メモリ６３に記憶された３５万画素のフレーム画像データ（ＦＬ１ａ）は演算処理回路６５にも与えられる。圧縮された差分データはデータ伸長回路６４に与えられデータ伸長が施こされる。伸張された差分データ（ＦＬ１ａ−ＦＬ２ａ）は演算処理回路６５に与えられる。演算処理回路６５は，フレーム・メモリ６３から与えられる３５万画素のフレーム画像データ（ＦＬ１ａ）からデータ伸長回路６４から与えられる差分データ（ＦＬ１ａ−ＦＬ２ａ）を減算する処理を行なう回路である。これにより，３５万画素のフレーム画像データ（ＦＬ２ａ）が得られる。
【０１３８】
フレーム・メモリ６３に記憶された３５万画素のフレーム画像データと演算処理回路６５から出力される３５万画素のフレーム画像データとが交互に出力され，再生画像データ処理回路３４の動画像用の画像データ出力となる。再生画像データ処理回路３４から出力されるこの動画像用の画像データは上述のように表示装置３９に与えられる。１／３０秒ごとの撮影により得られる画像にもとづいて得られる画像が表示装置３９に表示されることとなり，比較的滑らかな動画再生が行なわれる。
【０１３９】
上述の実施例においては差分データはデータ圧縮が施こされているが，必ずしもデータ圧縮を施こさなくてもよい。また動き検出を行ない，動きのあるブロックのみ差分データを演算し記録しているが，動きのあるブロックのみならず，すべてのデータについて差分データを演算してもよい。
【０１４０】
次に垂直補間回路３５における垂直補間処理について述べる。
【０１４１】
垂直補間回路３５における垂直補間処理は次の様にして行なわれる。
【０１４２】
図９は，画素配列の一部を示しており，中央の画素Ｓｍ，ｎ  が補間によりその画像データを生成すべき画素である。この補間すべき画素の画像データＳｍ，ｎ  （以下，画像データも画素と同じ記号を用いる）を算出する場合，補間すべき画素Ｓｍ，ｎ  の上下に隣接する画素Ｄｍ，ｎ  の画像データとＤｍ，ｎ＋１  の画像データとの差Δ１  ＝｜Ｄｍ，ｎ＋１  −Ｄｍ，ｎ  ｜，斜め上下に隣接する画素Ｄｍ−１，ｎ  とＤｍ＋１，ｎ＋１  との画像データの差Δ２  ＝｜Ｄｍ＋１，ｎ  −Ｄｍ−１，ｎ＋１  ｜，ならびにＤｍ＋１，ｎ  とＤｍ−１，ｎ＋１  との差Δ３  ＝｜Ｄｍ−１，ｎ＋１  −Ｄｍ＋１，ｎ  ｜がそれぞれ算出される。
【０１４３】
つづいて，これら算出された画像データの差Δ１  ，Δ２  およびΔ３  のうち最も小さいものが検出される。この最も小さい差を算出するのに用いられた２つの画像データの相加平均が算出される。この相加平均により得られたデータが補間すべき画素Ｓｍ，ｎ  の画像データとなる。たとえばΔ１  〜Δ３  のうちΔ１  が最も小さい場合には補間すべき画素の画像データは，Ｓｍ，ｎ  ＝（Ｄｍ，ｎ＋１  ＋Ｄｍ，ｎ  ）／２となる。Δ２  が最も小さい場合にはＳｍ，ｎ  ＝（Ｄｍ＋１，ｎ  ＋Ｄｍ−１，ｎ＋１  ）／２となり，Δ３  が最も小さい場合にはＳｍ，ｎ  ＝（Ｄｍ−１，ｎ＋１  ＋Ｄｍ＋１，ｎ  ）／２となる。
【０１４４】
これにより上下または斜め方向に相関が強くなるように垂直補間が行なわれるので，得られる静止画のエッジが滑らかになる。
【０１４５】
このような垂直補間処理がすべての列間において行なわれ，実質的に垂直方向に４８０  画素の倍の画素をもつ画像データが得られる。
【０１４６】
上述の実施例においては，７０万画素の画素数をもつＣＣＤを用いて被写体を撮影した場合について説明したが，この発明は７０万画素の画素数でなく３５万画素の画素数をもつＣＣＤであっても適用することができる。３５万画素の画素数をもつＣＣＤの場合は次のようにして記録再生処理が行なわれる。３５万画素の画素数をもつＣＣＤの場合は，１／６０秒の周期で被写体が選択的に撮影される。これにより１／６０秒ごとに３５万画素のフレーム画像データが連続的に得られる。この場合，３５万画素の画像データを１／３０秒かけてＣＣＤから出力するときに比べて読出しクロックを倍の速度として，３５万画素の画像データを１／６０秒かけてＣＣＤから出力することとなる。
【０１４７】
図１０は静止画像記録再生処理を平面的に表わしている。
【０１４８】
静止画像記録再生処理においては，１／６０秒ごとに得られる３５万画素のフレーム画像データ（ｆｌ１，ｆｌ２，ｆｌ３，ｆｌ４）のうち，１つおきのフレーム画像データが１０個の連続するトラックを用いて磁気テープ８に記録される。したがって１／３０秒ごとに３５万画素のフレーム画像データが磁気テープ８に記録されることとなり，従来の規格通りに記録が行なわれる。静止画の再生時においてはこのようにして記録されたフレーム画像データのうち所望の画像を表わすフレーム画像データが検索されプリンタ３７に与えられる。これによりプリントが得られる。比較的画素数が多いので，比較的高精度のプリントが得られる。
【０１４９】
図１１は動画像記録再生処理を平面的に表わしている。
【０１５０】
動画像記録再生処理においては，１／６０秒ごとに得られる３５万画素のフレーム画像データ（ｆｌ１，ｆｌ２，ｆｌ３，ｆｌ４）のうち隣接するフレーム画像データであって奇数行または偶数行の画素を表わすフィールド画像データの差が演算される。この演算によって得られた差分データが，磁気テープ８の補助記録領域ａ３  に記録される。再生時においては，補助記録領域ａ３  に記録された差分データと静止画記録再生処理において磁気テープ８のトラックに記録された画像データとから静止画記録再生処理において記録されていない画像のフィールド画像が生成される。また静止画記録再生処理において記録された画像データからフィールド画像が得られる。これらのフィールド画像は１／６０秒ごとに交互に表示装置に与えられることにより動画が再生される。
【０１５１】
図１１を参照して，動画像の記録再生処理について具体的に説明する。図１１において（図１０においても）奇数行の画素が符号Ａを用いて，偶数行の画素が符号Ｂを用いて表わされている。
【０１５２】
１／６０秒ごとに与えられる，３５万画素のフレーム画像データのうち隣接する画像を表わす画像データの偶数行の画素を表わす画像データが減算される（Ｂ１−Ｂ２）。この減算処理により得られた差分データ（Ｂ１−Ｂ２）が磁気テープの補助記録領域ａ３  に記録される。再生時においては，補助記録領域ａ３  に記録されている差分データ（Ｂ１−Ｂ２）およびビデオ記録領域ａ２  に記録されているフレーム画像データ（ｆｌ１）がそれぞれ読み出される。フレーム画像データ（ｆｌ１）から奇数行の画素からなるフィールド画像データ（Ａ１）が抽出される。またフレーム画像データ（ｆｌ１）から偶数行の画素からなるフィールド画像データ（Ｂ１）が抽出され，この抽出されたフィールド画像データ（Ｂ１）から差分データ（Ｂ１−Ｂ２）が減算される（Ｂ１−（Ｂ１−Ｂ２））。これにより，第２番めのフィールド画像データであって偶数行の画素からなるフィールド画像データ（Ｂ２）が得られる。このようにして得られた奇数行の画素からなるフィールド画像データ（Ａ１）と偶数行の画素からなるフィールド画像データ（Ｂ２）とが交互に表示装置に与えられ，動画再生が行なわれる。
【０１５３】
これらの場合，図１０に示す静止画記録再生処理では，記録すべきフレーム画像データを図３に示すフレーム・メモリ５１および図４に示すフレーム・メモリ６１に与えることにより，容易に所望のフレーム画像データをプリンタ３７に与えることができる。また，画像合成回路６２における合成処理は不要となる。図１１に示す動画記録再生処理では，図３の画素抽出回路５２において第１フィールドの偶数行の画素からなるフィールド画像データ（Ｂ１）を抽出し，画素抽出回路５４において第２フィールドの偶数行の画素からなるフィールド画像データ（Ｂ２）を抽出し，これらのフィールド画像データの差分を差分演算回路５６で演算する（Ｂ１−Ｂ２）。この差分データが補助記録領域ａ３  に記録される。動画の再生時には第１フレームの画像データ（ｆｌ１）がフレーム・メモリ６３に与えられ，このフレーム・メモリ６３から奇数行のフィールド画像データ（Ａ１）は画像再生処理回路の出力とし，偶数行のフィールド画像データ（Ｂ１）は演算処理回路６５に与える。差分データ（Ｂ１−Ｂ２）も演算処理回路６５に与えられる。演算処理回路６５において偶数行のフィールド画像データ（Ｂ１）から差分データ（Ｂ１−Ｂ２）が減算され，偶数行の画素からなる第２フィールド画像データＢ２が得られる。奇数行の画素からなるフィールド画像データと偶数行の画素からなるフィールド画像データとが１／６０秒ごとに交互に表示装置に与えられることにより動画再生が行なわれる。
【０１５４】
（２）  第２実施例
図１２から図１８は第２実施例を説明するためのものである。
【０１５５】
第２実施例によるディジタル・ビデオ・テープ・レコーダは図１に示すディジタル・ビデオ・テープ・レコーダの記録画像データ処理回路１３および再生画像データ処理回路３４の構成が変わるものである。
【０１５６】
まず第２実施例による動画記録再生処理および静止画記録再生処理の概念について図１４および図１５を参照して説明する。
【０１５７】
図１４を参照して，第２実施例におけるディジタル・ビデオ・テープ・レコーダも第１実施例におけるディジタル・ビデオ・テープ・レコーダと同様に水平方向１４４０画素，垂直方向４８０  画素の約７０万画素の画素数をもつＣＣＤ１１を用いて１／３０秒の周期で連続的に被写体が撮影される。これにより７０万画素のフレーム画像データが１／６０秒ごとに得られる（ＦＬ１，ＦＬ２，ＦＬ３，ＦＬ４）。動画記録再生処理の場合１／３０秒ごとに得られ，水平方向に１４４０画素の画素数をもつ約約７０万画素のフレーム画像データは水平方向に７２０  画素の画素数をもつ約３５万画素の画素数をもつフレーム画像データとなるように画像データの抽出処理が行なわれる。この画像データの抽出処理は約７０万画素のフレーム画像データのデータ量が約３５万画素のフレーム画像データのデータ量となり，かつ一駒の画像を構成すればよく，必ずしも水平方向の画素数を半分にするものではない。ただし好ましくは，水平方向に１つの画素おきに画像データの抽出処理を行なうこととなろう。このようにして３５万画素のフレーム画像データが１／３０秒ごとに得られ，この得られた３５万画素のフレーム画像データ（ＦＬ１ａ，ＦＬ２ａ，ＦＬ３ａ，ＦＬ４ａ）が１／３０秒ごとに１０トラックのビデオ記録領域ａ２  に記録される。
【０１５８】
磁気テープ８に記録された３５万画素のフレーム画像データは１／３０秒ごとに読取られ，表示装置に与えられることにより動画再生が行なわれる。
【０１５９】
図１５を参照して，静止画記録再生処理の場合１／３０秒ごとに得られた７０万画素のフレーム画像データ（ＦＬ１，ＦＬ２，ＦＬ３，ＦＬ４）のうち奇数フレーム画像データ（ＦＬ１，ＦＬ３）について３５万画素のデータ量となるように画像データの分割処理が行なわれる。偶数フレーム画像データ（ＦＬ２，ＦＬ４）はスキップされる。分割された奇数フレーム画像の画像データ（ＦＬ１ａ，ＦＬ１ｂ，ＦＬ３ａ，ＦＬ３ｂ）について，同一の７０万画素のフレーム画像から分割された３５万画素のフレーム画像データの差が演算される（ＦＬ１ａ−ＦＬ１ｂ，ＦＬ３ａ−ＦＬ３ｂ）。差分演算により得られた差分データ（ＦＬ１ａ−ＦＬ１ｂ，ＦＬ３ａ−ＦＬ３ｂ）が磁気テープ８の補助記録領域ａ３  に記録される。
【０１６０】
静止画再生においては，補助記録領域ａ３  に記録された差分データ（ＦＬ１ａ−ＦＬ１ｂ，ＦＬ３ａ−ＦＬ３ｂ）およびビデオ記録領域ａ２  に記録された奇数番めの３５万画素のフレーム画像データ（ＦＬ１ａ，ＦＬ３ａ）がそれぞれ読出される。奇数番めの３５万画素のフレーム画像データ（ＦＬ１ａ，ＦＬ３ａ）から差分データ（ＦＬ１ａ−ＦＬ１ｂ，ＦＬ３ａ−ＦＬ３ｂ）が減算される。これにより奇数番めの３５万画素のフレーム画像データであって動画記録再生処理において磁気テープ８に記録されていない奇数番めの３５万画素のフレーム画像データ（ＦＬ１ｂ，ＦＬ３ｂ）が得られる。この奇数番めの３５万画素のフレーム画像データ（ＦＬ１ｂ，ＦＬ３ｂ）と，奇数番めの他の３５番画素のフレーム画像データ（ＦＬ１ａ，ＦＬ３ａ）とが合成され，７０万画素の奇数番めのフレーム画像データ（ＦＬ１，ＦＬ３）が得られる。この７０万画素のフレーム画像データが，必要であれば垂直補間処理が行なわれ，プリンタ３７に与えられる。これにより静止画像がプリントされる。
【０１６１】
図１２および図１３は第２実施例によるディジタル・ビデオ・テープ・レコーダの記録画像データ処理回路１３および再生画像データ処理回路３４の構成を示すブロック図である。
【０１６２】
図１２を参照して，７０万画素のフレーム画像データは切替スイッチ７０を経てフレーム・メモリ７１または７２のいずれかに入力し，格納される。切替スイッチ７０は７０万画素のフレーム画像データが通過するごとに切替えられる。したがって入力する１フレーム分の画像データはフレーム・メモリ７１または７３に交互に与えられる。ここではフレーム・メモリ７３に７０万画素の第１のフレーム画像データＦＬ１が格納され，フレーム・メモリ７１に７０万画素の第２のフレーム画像データＦＬ２が格納されるものとする。
【０１６３】
フレーム・メモリ７１に格納された７０万画素の第２のフレーム画像データＦＬ２から３５万画素の第２のフレーム画像データＦＬ２ａが画素抽出回路７２によって抽出され出力される。フレーム・メモリ７３に格納された７０万画素の第１のフレーム画像データＦＬ１から，２つの３５万画素の第１のフレーム画像データＦＬ１ａおよびＦＬ２ａがそれぞれ分けて出力されるように，画素抽出回路７４によって抽出される。３５万画素の第１のフレーム画像データＦＬ１ａと３５万画素の第２のフレーム画像データＦＬ２ａとが記録画像データ処理回路１３の出力となりデータ圧縮回路１４に与えられ，磁気テープ８のビデオ記録領域ａ２  に記録される。
【０１６４】
画素抽出回路７４から出力される２つの３５万画素の第１のフレーム画像データＦＬ１ａおよびＦＬ１ｂは差分量検出回路７５に与えられる。差分量検出回路７５において，与えられるフレーム画像データＦＬ１ａおよびＦＬ１ｂの差がブロック（１ブロックはたとえば８×８画素）ごとに算出される。算出された差があらかじめ定められた一定値以上であればフレーム画像データＦＬ１ａおよびＦＬ１ｂは差分演算回路７６に与えられ，差が演算される（ＦＬ１ａ−ＦＬ１ｂ）。差分演算回路７６から出力される差分データＦＬ１ａ−ＦＬ１ｂは差分データ圧縮回路７７に与えられ，データ圧縮される。データ圧縮された差分データ（ＦＬ１ａ−ＦＬ１ｂ）がシステム・コントローラ２１に与えられ，磁気テープ８の補助記録領域ａ３  に記録される。
【０１６５】
図１３を参照して，磁気テープ８のビデオ記録領域ａ２  に記録されている３５万画素のフレーム画像データＦＬ１および差分データＦＬ１ａ−ＦＬ１ｂがそれぞれ読出される。読出された３５万画素のフレーム画像データＦＬ１はフレーム・メモリ８１に与えられ一旦記憶されるとともに再生画像データ処理回路３４の出力となりＤＡ変換器３８を介して表示装置３９に与えられる。これにより動画再生が行なわれる。
【０１６６】
差分データはデータ伸張回路８２に与えられデータ伸張され演算処理回路８３に与えられる。一方フレーム・メモリ８１に記憶された３５万画素のフレーム画像データＦＬ１ａは演算処理回路８３および画像合成回路８４に与えられる。演算処理回路８３において，フレーム・メモリ８１から与えられる３５万画素のフレーム画像データＦＬ１ａからデータ伸張回路８２から与えられる差分データＦＬ１ａ−ＦＬ１ｂが減算され，第１の３５万画素のフレーム画像データであって磁気テープ８のビデオ記録領域ａ２  に記録されていない３５万画素のフレーム画像データＦＬ１ｂが生成される。この３５万画素のフレーム画像データＦＬ１ｂは画像合成回路８４に与えられる。画像合成回路８４において与えられる２つの３５万画素のフレーム画像データＦＬ１ａおよびＦＬ１ｂが合成され，一駒の画像を構成する７０万画素のフレーム画像データＦＬ１が復元される。復元された７０万画素のフレーム画像データＦＬ１は，再生画像データ処理回路３４の出力となり，必要ならば垂直補間回路３５において垂直補間処理が行なわれＤＡ変換器３６を介してプリンタ３７に与えられる。これにより高精度のプリントが得られる。
【０１６７】
上記においては，差分量検出回路７５において差分量を検出し，あらかじめ定められたしきい値以上の場合に限り差分演算を行なっているが，差分量を検出せず差分量の大きさにかかわらず差分演算を行なってもよい。また上記においても差分データを圧縮するのは必ずしも必要ではない。
【０１６８】
上述の実施例においては約７０万画素の画素数をもつＣＣＤ１１を用いて被写体を撮影しているが，この発明は約３５万画素の画素数をもつＣＣＤを備えたディジタル・ビデオ・テープ・レコーダにも適用することができる。
【０１６９】
図１６および図１７は，約３５万画素のＣＣＤを用いて連続的に撮影する場合の動画像記録再生処理および静止画像記録再生処理を説明するためのもので平面的に示している。図１６および図１７においても図１０および図１１に示すように奇数行の画素は符号Ａを用いて偶数行の画素は符号Ｂを用いて示されている。また３５万画素の画素数をもつＣＣＤを用いて被写体を撮影する場合，その撮影周期は１／６０秒となる。
【０１７０】
図１６を参照して，動画像記録再生処理においては１／６０秒ごとに得られる３５万画素のフレーム画像データのうち奇数番めのフレーム画像データについては奇数行の画素の画像データが抽出され，偶数番めのフレーム画像データについては偶数行の画素の画像データが抽出される。この抽出処理により３５万画素のフレーム画像データのデータ量の半分のフィールド画像データのデータ量となる。画像抽出処理により得られた画像データは３５万画素の１フレーム分のデータ量ずつ１０トラック分のビデオ記録領域ａ２  に記録される。
【０１７１】
動画再生時においては磁気テープ８のビデオ記録領域ａ２  に記録された画像データが読出され，１／６０秒ごとに順次表示装置に与えられる。撮影間隔が１／６０秒であり，比較的短いので動きの滑らかな動画再生が可能となる。
【０１７２】
図１７を参照して，隣接する画像を表わす３５万画素のフレーム画像データのうち偶数行の画素を表わす画像データが抽出されその差が演算される（Ｂ２−Ｂ１，Ｂ４−Ｂ３）。この差分データ（Ｂ２−Ｂ１，Ｂ４−Ｂ３）が磁気テープ８の補助記録領域ａ３  に記録される。
【０１７３】
静止画再生時においては，動画再生のためにビデオ記録領域ａ２  に記録された偶数番めのフレーム画像データの偶数列の画像データ（Ｂ２，Ｂ４）から，補助記録領域ａ３  に記録された差分データ（Ｂ２−Ｂ１，Ｂ４−Ｂ３）が減算され，ビデオ記録領域ａ２  には記録されていない，奇数番めのフレーム画像データのうちの偶数行の画素の画像データ（Ｂ１，Ｂ３）が生成される。この生成された画像データ（Ｂ１，Ｂ３）と，奇数番めのフレーム画像データであってビデオ記録領域ａ２  に記録されている奇数行の画像データ（Ａ１，Ａ３）とが合成されて３５万画素のフレーム画像データ（ｆｌ１，ｆｌ３）が生成される。生成された３５万画素のフレーム画像データが再生画像データ処理回路３４の出力となりプリンタ３７に与えられる。比較的に高画素の画素数をもつ画像データなので，比較的高画質なプリントが得られる。
【０１７４】
図１６に示す動画像記録再生処理を行なうには，図１２に示す記録画像データ処理回路１３において，フレーム・メモリ７１に奇数番めのフレーム画像データ（ｆｌ１，ｆｌ３）記憶し，奇数行の画素を表わす画像データ（Ａ１，Ａ３）を抽出して出力する。またフレーム・メモリ７３に偶数番めのフレーム画像データ（ｆｌ２，ｆｌ４）を記憶し，偶数行の画素を表わす画像データ（Ｂ２，Ｂ４）を出力するとともに，差分演算回路７６において奇数行の画素を表わす画像データ（Ｂ１，Ｂ３）と偶数行の画素を表わす画像データ（Ｂ２，Ｂ４）との差分データを演算する。再生時においては，奇数番めのフレーム画像データであって奇数行の画素を表わす画像データ（Ａ１．Ａ３）と偶数番めのフレーム画像データであって，偶数行の画素を表わす画像データ（Ｂ２，Ｂ４）とを交互に表示装置に与える。
【０１７５】
また，図１７に示す静止画像記録再生処理を行なうには図１３に示す差分演算回路において演算された差分データ（Ｂ２−Ｂ１，Ｂ４−ｂ３）を補助記録領域ａ３  に記録する。再生時において演算処理回路８３に偶数番めのフレーム画像データのうちの偶数行の画素の画像データ（Ｂ２，Ｂ４）と差分データ（Ｂ２−Ｂ１，Ｂ４−Ｂ３）とを与える。演算処理回路８３において，この偶数行の画素の画像データ（Ｂ２，Ｂ４）から差分データを減算し，奇数番めのフレーム画像データのうち偶数行の画素の画像データ（Ｂ１，Ｂ３）を復元する。この復元された画像データ（Ｂ１，Ｂ３）とビデオ記録領域ａ２  に記録された偶数番めのフレーム画像データのうち奇数行の画素の画像データ（Ｂ２，Ｂ４）とを画像合成回路８４において合成する。これにより３５万画素のフレーム画像データが得られプリンタ３７に与えられることにより，高精細なプリントが得られる。
【０１７６】
（３）  第３実施例
図１８から図２５は第３実施例を説明するためのものである。
【０１７７】
第３実施例によるディジタル・ビデオ・テープ・レコーダは図１に示すディジタル・ビデオ・テープ・レコーダの記録画像データ処理回路１３および再生画像データ処理回路３４の構成が変わるものである。
【０１７８】
第３実施例におけるディジタル・ビデオ・テープ・レコーダも第１実施例または第２実施例におけるディジタル・ビデオ・テープ・レコーダと同様に水平方向１４４０画素，垂直方向４８０  画素の約７０万画素の画素数をもつＣＣＤ１１を用いて１／３０秒の周期で連続的に被写体が撮影され，７０万画素のフレーム画像データが１／３０秒ごとに得られる。
【０１７９】
第３実施例におけるディジタル・ビデオ・テープ・レコーダは，動画像の記録再生においては約７０万画素のフレーム画像データについて水平方向に１つおきの画素が抽出され水平方向７２０  画素，垂直方向４８０  画素の約３５万画素のフレーム画像が生成される。この３５万画素のフレーム画像データが１０トラックのビデオ記録領域ａ２  に記録される。動画像の再生においては，ビデオ記録領域ａ２  に記録された３５万画素のフレーム画像データが１／３０秒ごとに読出され表示装置３９に与えられる。これにより表示装置３９に動画が表示される。
【０１８０】
つづいて第３実施例のディジタル・ビデオ・テープ・レコーダにおける静止画記録再生について図２０および図２１を用いて説明する。
【０１８１】
図２０および図２１を参照して，第３実施例のディジタル・ビデオ・テープ・レコーダにおける静止画像記録再生処理は，撮影によって得られた７０万画素のフレーム画像データによって表わされる高精細画像を，再生時に復元する純粋な静止画像記録再生処理（図２０）と，撮影によって得られた７０万画素のフレーム画像データによって表わされる高精細画像に近似した擬似画像を再生する擬似再生画像記録再生処理（図２１）とがある。
【０１８２】
図２０ならびに図２２（Ａ）  ，（Ｂ）  および（Ｃ）  を参照して，純粋な静止画像記録再生処理について説明する。
【０１８３】
図２２（Ａ）  ，（Ｂ）  および（Ｃ）  は画像の一部を抽出して示している。
【０１８４】
１／３０秒ごとに被写体が連続して撮影され，水平方向１４４０画素，垂直方向４８０  画素の約７０万画素のフレーム画像データＦＬ１が得られる（図２２（Ａ）  ）。この約７０万画素のフレーム画像データＦＬ１は奇数列の画素Ｄａの画像データＦＬ１ａと偶数列の画素Ｄｂの画像データＦＬ１ｂとに分割される。分割された奇数列の画素Ｄａの画像データ（図２２（Ｂ）  ）にもとづいて補間処理が行なわれ，偶数列の画素Ｄｂの画素に相当する画素が補間画素Ｄｓとして生成される（図２２（Ｃ）  ）。この補間画素Ｄｓを表わす画像データを補間画像データＦＬ１ｓとする。
【０１８５】
生成された補間画像データＦＬ１ｓと偶数列の画素Ｄｂの画像データＦＬ１ｂとの差分が演算され，差分データＦＬ１ｓ−ＦＬ１ｂが得られる，得られた差分データＦＬ１ｓ−ＦＬ１ｂが磁気テープ８の補助記録領域ａ３  に記録される。ここまでが記録処理である。
【０１８６】
静止画の再生処理においては，ビデオ記録領域ａ２  に記録されている奇数列の画素Ｄａの画像データＦＬ１ａが読出され，この画像データＦＬ１ａから補間画像データＦＬ１ｓが生成される。生成された補間画像データＦＬ１ｓから差分データＦＬ１ｓ−ＦＬ１ｂが減算され，偶数列の画素Ｄｂの画像データＦＬ１ｂが復元される。復元された偶数列の画素Ｄｂの画像データＦＬ１ｂとビデオ記録領域ａ２  に記録されている奇数列の画素Ｄａの画像データＦＬ１ａとが合成され，図２２（Ａ）  に示すように撮影時に得られた７０万画素のフレーム画像データＦＬ１が得られる。これにより高精細であり，かつ被写体と同じ画像がプリント可能となる。
【０１８７】
つづいて図２１ならびに図２２（Ａ）  ，（Ｂ）  および（Ｃ）  を参照して擬似静止画像記録再生処理について説明する。
【０１８８】
擬似静止画像記録再生処理においては，純粋な静止画像記録再生処理と異なり，補間画像データＦＬ１ｓと偶数列の画素Ｄｂの画像データＦＬ１ｂとの差分データ（ＦＬ１ｓ−ＦＬ１ｂ）は補助記録領域ａ３  に記録されない。擬似静止画像記録再生処理では，再生時においてビデオ記録領域ａ２  に記録された奇数列の画素Ｄａの画像データＦＬ１ａから補間画像データＦＬ１ｓが生成される。生成された補間画像データＦＬ１ｓと奇数列の画素Ｄａの画像データＦＬ１ａとが合成され図２２（Ｃ）  に示すように擬似的な７０万画素のフレーム画像データＦＬ１が生成される。これにより高精細なプリントが可能となる。
【０１８９】
図１８および図１９は第３実施例によるディジタル・ビデオ・テープ・レコーダの記録画像データ処理回路１３および再生画像データ処理回路３４の構成を示すブロック図である。
【０１９０】
撮影によって得られた７０万画素のフレーム画像データＦＬ１は画素抽出回路９１に与えられ，画素抽出回路９１において奇数列の画素Ｄａの画像データＦＬ１ａと偶数列の画素Ｄｂの画像データＦＬ１ｂとに分けられる。奇数列の画素Ｄａの画像データＦＬ１ａは補間画像データ生成回路９２に与えられるとともに記録画像データ処理回路１３の出力となり，データ圧縮されて動画再生のために磁気テープのビデオ記録領域ａ２  に記録される。
【０１９１】
補間画像データ生成回路９２において補間画素Ｄｓを表わす補間画像データＦＬ１ｓが生成され，差分データ生成比較判定回路９３に与えられる。補間画像データ生成回路９２における補間画像データの生成はたとえば補間処理により生成しようとする画素Ｄｓに隣接する画素Ｄａの相加平均により実現できる。
【０１９２】
差分データ生成比較判定回路９３には，偶数列の画素Ｄｂの画像データＦＬ１ｂと補間画像データＦＬ１ｓとが与えられる。差分データ比較判定回路９３において与えられる画像データの差ＦＬ１ｓ−ＦＬ１ｂがあらかじめ定められたしきい値以上かどうかがブロック（たとえば８×８画素）ごとに比較され，しきい値以上であったときに差分データＦＬ１ｓ−ＦＬ１ｂがデータ圧縮回路９４に与えられデータ圧縮が施こされる。しきい値以上ではないときは差分データＦＬ１ｓ−ＦＬ１ｂは比較判定回路９３から出力されない。比較判定回路９３においてデータの差ＦＬ１ｓ−ＦＬ１ｂがしきい値以上と判定され，比較判定回路９３から差分データＦＬ１ｓ−ＦＬ１ｂが出力されるときの処理が上述した図２０の純粋な静止画像記録再生処理に相当し，データの差ＦＬ１ｓ−ＦＬ１ｂがしきい値より小さいと判定され，比較判定回路９３から差分データＦＬ１ｓ−ＦＬ１ｂが出力されないときの処理が上述した図２１の擬似静止画像記録再生処理に相当する。比較判定回路９３から出力される差分データＦＬ１ｓ−ＦＬ１ｂはデータ圧縮回路９４に与えられデータ圧縮される。データ圧縮された差分データＦＬ１ｓ−ＦＬ１ｂはシステム・コントローラ２１に与えられ，補助記録領域ａ３  に記録される。差分データに加え，差分データ生成比較判定回路９３における判定しきい値も補助記録領域ａ３  に記録される。
【０１９３】
図１９を参照して，再生時においてはビデオ記録領域ａ２  に記録された奇数列の画素Ｄａの画像データは読出され単に再生画像データ処理回路３４を通過して表示装置３９に与えられ，動画再生が行なわれる。奇数列の画素Ｄａの画像データＦＬ１ａは補間画像データ生成回路１０３  に与えられ，補間画素Ｄｓを表わす補間画像データＦＬ１ｓが生成される。生成された補間画像データＦＬ１ｓは差分データ加算回路１０２  に与えられる。補助記録領域ａ３  に記録された差分データは読出されデータ伸張回路１０１  に与えられる。データ伸張回路１０１  においてデータ伸張された差分データＦＬ１ｓ−ＦＬ１ｂは演算処理回路１０２  に与えられる。演算処理回路１０２  において補間画像データＦＬ１ｓから差分データＦＬ１ｓ−ＦＬ１ｂが減算され，奇数列の画素Ｄｂの画像データＦＬ１ｂが復元される。復元された奇数列の画素Ｄｂの画像データＦＬ１ｂは画像合成回路１０４  に与えられる。画像合成回路１０４  には奇数列の画素Ｄａの画像データＦＬ１ａも与えられており，この画像合成回路１０４  において，奇数列の画素Ｄａの画像データＦＬ１ａと偶数列の画素Ｄｂの画像データＦＬ１ｂとが合成される。画像合成回路１０４  から出力される画像データは必要ならば垂直補間回路３５における垂直補間処理が行なわれＤＡ変換器３６を介してプリンタ３７に与えられる。これにより図２２（Ａ）  に示すように高精細であり，かつ撮影によって得られた画像と同じ画像がプリントされる。
【０１９４】
また，記録時における差分データ比較判定回路９３の動作において与えられるデータの差があらかじめ定められたしきい値よりも小さいときには差分データＦＬ１ｓ−ＦＬ１ｂは補助記録領域ａ３  に記録されないから演算処理回路１０２  の出力は補間画像データ生成回路１０３  において生成された補間画像データＦＬ１ｓとなる。このため画像合成回路１０４  においては奇数列の画素Ｄａの画像データＦＬ１ａと補間画像データＦＬ１ｓとが合成される。これにより，画像合成回路１０４  から出力される画像データによって表わされる画像は図２２（Ｃ）  に示すようになる。
【０１９５】
上述の実施例において補間画像データ生成処理は単に補間する画素の隣接する画素の相加平均により行なっていたが次のようにすることもできる。以下の説明では一行おきに画素が欠如している場合について述べるが第３実施例における補間処理では一列おきに画素が欠如しているため，９０度回転して適用すればよい。
【０１９６】
図２３は補間画素値演算回路の電気的構成を示すブロック図である。図２４に３画素×３画素の画素ブロックが示されている。図２４においては画像データが存在する画素がハッチングで示されている。図２４では画素Ａ，Ｂ，Ｃ，Ｆ，ＧおよびＨに画像データがあり，画素Ｄ，ＸおよびＥには画像データは存在しない。
【０１９７】
図２３に示す補間画素値演算回路は図２４に示すようにデータを生成すべき画素をＸとした場合，この画素Ｘを中心として３画素×３画素の画素ブロックを考え，この画素ブロックに含まれる画素を表わすデータを参照して好ましいと思われる画素Ｘのデータを生成するものである。
【０１９８】
データが存在しない画素の上下の画素（ＡとＦ，ＢとＧ，ＣとＨ）を加算した場合その加算値が水平方向についての加算値ほど増加または減少しているときは，その部分の画像は階段状の部分であり，データが存在しない画素の上下の画素の画像データの相加平均をその欠如している画素の画像データとすると階段状の部分が強調されてしまう。その一方画素Ｘのまわりの２個の画素の相関値を算出し，最も高い相関を与える画素の相加平均をその欠如している画素の画像データとすると，データが欠如している画素Ｘの列に隣接する列の画素Ａ，Ｆ，ＣおよびＨの画像データのレベルがきわめて低く，かつ相関が高く，（たとえばすべて０レベルの場合）画素Ｘの上下の画素ＢおよびＧの画像データのレベルが高くかつ相関が低い場合（たとえば最高レベルと最高レベルに近い場合）などは不自然な画像となることがある。
【０１９９】
図２３に示す補間画素値演算回路は，データを生成する画像の部分が階段状のような部分であってもその部分が強調されず，かつ自然な画像が得られるように欠如している画素のデータを生成する回路である。図２３に示す補間画素値演算回路では，欠如している画素のデータを生成するのにもっとも好ましいと思われる２個の画素を見つけ，見つけた２個の画素の画像データの平均値を欠如している画素を表わす画像データとする。
【０２００】
図２５は欠如している画素の画像データを生成する手順を示している。画素を表わす画像データのレベルも画素と同一符号で示す。
【０２０１】
まず，画素ＡとＦの画像データの加算値Ｄａ，画素ＢとＧの画像データの加算値Ｘａおよび画素ＣとＨの画像データの加算値Ｅａが算出される（ステップ１４０  ）。得られた加算値Ｄａ，ＸａおよびＥａを比較し水平方向の加算値ほど増加（Ｄａ＜Ｘａ＜Ｅａ）しているかまたは減少（Ｄａ＞Ｘａ＞Ｅａ）しているかが判断される（ステップ１４１  ）。増加または減少でなければ（ステップ１４１  でＮＯ），データを生成する画素Ｘの周辺部分は階段状の部分ではないと考えられ，画素Ｘの上下の画素ＢとＧの相加平均が画素Ｘのデータとされる（ステップ１４７  ）。増加または減少していると（ステップ１４１  でＹＥＳ  ），データを生成する画素Ｘの周辺部分は階段状の部分であると考えられ，画素Ｘの上下の画素ＢとＧの画像データの相加平均を画素Ｘの画像データとするとその階段状の部分が強調されるので，画素Ｘの斜め方向の２個の画素のうち相関のもっとも高い画素の画像データの相加平均が画素Ｘの画像データとされる。
【０２０２】
画素Ｘの左上の画素Ａの画像データと右下の画素Ｈの画像データとの絶対値差Ｓ１（＝｜Ａ−Ｈ｜），画素Ｘの上の画素Ｂの画像データと下の画素Ｇの画像データとの絶対値差Ｓ２（＝｜Ｂ−Ｇ｜）および画素Ｘの右上の画素Ｃの画像データと左下の画素Ｆの画像データとの絶対値差Ｓ３（＝｜Ｃ−Ｆ｜）がそれぞれ算出される（ステップ６２）。これらの絶対値差の演算結果から最も相関の高い画素の組合わせが判断され（ステップ１４３  および１４４  ），最も高い相関を与える画素の画像データの平均が画素Ｘの画像データとされる（ステップ１４５  ，１４６  または１４７  ）。
【０２０３】
図２３を参照して，輝度を表わす１駒分のディジタル画像データがフレーム・メモリ１１１  に格納される。フレーム・メモリ１１１  から，データを生成する画素Ｘの左上，上，右上，左下，下および右下の画素（Ａ，Ｂ，Ｃ，Ｆ，ＧおよびＨ）を表わす画像データが読出され補間方向判別回路１１３  および平均値演算回路１１４  にそれぞれ与えられる。補間方向判別回路１１３  において図２５ステップ１４０  〜１４４  の処理が行なわれる。補間方向判別回路１１３  において，画素Ｘの画像データを生成するのに最適な２個の画素が見つけられるとこの２個の画素を表わす信号が平均値演算回路１１４  に与えられる。平均値演算回路１１４  において最適な２個の画素の画像データの平均値演算処理が行なわれる（図２５ステップ１４５  〜１４７  の処理）。平均値演算回路１１４  における演算結果を表わすデータはフィールド・メモリ１１２  に与えられ記憶される。補間方向判別回路１１３  における補間方向判別処理，平均値演算回路１１４  における平均値演算処理が繰返されることにより１駒分のフレーム画像データにおいて欠如している行の画素を表わすデータがすべて生成されフレーム・メモリ１１２  に記憶される。フレーム・メモリ１１２  から出力されるデータが補間画像データとなり，差分データ生成比較判定回路９３に与えられる。
【０２０４】
（４）  第４実施例
図２６から図３０は第４実施例を説明するためのものである。
【０２０５】
第４実施例によるディジタル・ビデオ・テープ・レコーダも図１に示すディジタル・ビデオ・テープ・レコーダの記録画像データ処理回路１３および再生画像データ処理回路３４の構成が変わるものである。第３実施例におけるディジタル・ビデオ・テープ・レコーダ記録再生処理では補間画像データＦＬ１ｓを生成し，補間画像データＦＬ１ｓと偶数列の画素Ｄｂの画像データＦＬ１ｂとの差分を演算しその差分データを用いているのに対し，第４実施例におけるディジタル・ビデオ・テープ・レコーダの記録再生処理では平均値を表わす画素ＤＡＶの画像データを生成し，この平均値画像データと偶数列の画素Ｄｂの画像データＦＬ１ｂとの差分を演算しその差分データを用いるものである。
【０２０６】
第４実施例におけるディジタル・ビデオ・テープ・レコーダも第１実施例または第２実施例におけるディジタル・ビデオ・テープ・レコーダと同様に水平方向１４４０画素，垂直方向４８０  画素の約７０万画素の画素数をもつＣＣＤ１１を用いて１／３０秒の周期で連続的に被写体が撮影され，７０万画素のフレーム画像データが１／３０秒ごとに得られる。
【０２０７】
第４実施例におけるディジタル・ビデオ・テープ・レコーダは，動画像の記録再生においては約７０万画素のフレーム画像データについて隣接する画素を表わす画像データの相加平均が演算され水平方向７２０  画素，垂直方向４８０  画素の約３５万画素の平均化されたフレーム画像データが得られる。この平均化された３５万画素のフレーム画像データが１０トラックのビデオ記録領域ａ２  に記録される。動画像の再生においては，ビデオ記録領域ａ２  に記録された３５万画素のフレーム画像データが１／３０秒ごとに読出され表示装置３９に与えられる。これにより表示装置３９に動画が表示される。
【０２０８】
つづいて第４実施例のディジタル・ビデオ・テープ・レコーダにおける静止画記録再生について図２８および図２９を用いて説明する。
【０２０９】
図２８および図２９を参照して，第４実施例のディジタル・ビデオ・テープ・レコーダにおける静止画像記録再生処理においても第３実施例と同様に，撮影によって得られた７０万画素のフレーム画像データによって表わされる高精細画像を，再生時に復元する純粋な静止画像記録再生処理（図２８）と，撮影によって得られた７０万画素のフレーム画像データによって表わされる高精細画像に近似した擬似画像を，再生する擬似再生画像記録再生処理（図２９）とがある。
【０２１０】
図２８ならびに図３０（Ａ）  ，（Ｂ）  および（Ｃ）  を参照して，純粋な静止画像記録再生処理について説明する。
【０２１１】
図３０（Ａ）  ，（Ｂ）  および（Ｃ）  は画像の一部を抽出して示している。
【０２１２】
１／３０秒ごとに被写体が連続して撮影され，水平方向１４４０画素，垂直方向４８０  画素の約７０万画素のフレーム画像データＦＬ１が得られる（図３０（Ａ）  ）。この約７０万画素のフレーム画像データＦＬ１のうち隣接する奇数列の画素Ｄａと偶数列の画素Ｄｂとの平均の画素ＤＡＶが得られるように画像データの平均化処理が行なわれる。この平均化処理により水平方向の画素数は１４４０画素から７２０  画素となり画像データ量も約７０万画素から約３５万画素となる（図３０（Ｂ）  ）。また約７０万画素のフレーム画像データＦＬ１から偶数列の画素Ｄｂを表わす画像データＦＬ１ｂが抽出される。
【０２１３】
平均化演算により得られ，平均画素ＤＡＶを表わす平均画像データＦＬ１ＡＶと奇数列の画素Ｄｂを表わす画像データＦＬ１ｂとの差分が演算される。この差分演算処理により得られた画素ＤΔを表わす差分データＦＬ１Δ＝ＦＬ１ｂ−ＦＬ１ＡＶが磁気テープ８の補助記録領域ａ３  に記録される。ここまでが記録処理である。
【０２１４】
静止画の再生処理においては，ビデオ記録領域ａ２  に記録されている平均画素ＤＡＶの平均画像データＦＬ１ＡＶが読出され，補助記録領域ａ３  に記録されている差分データＦＬ１Δがそれぞれ読出される。これらの読出された画像データＦＬ１ＡＶおよびＦＬ１Δにおいて，それぞれの画像データの加算処理ＦＬ１ＡＶ＋ＦＬ１Δおよび減算処理ＦＬ１ＡＶ−ＦＬ１Δが行なわれる。この加算処理により偶数列の画素Ｄｂの画像データＦＬ１ｂが得られる（ＦＬ１ＡＶ＋ＦＬ１Δ＝ＦＬ１ＡＶ＋ＦＬ１ｂ−ＦＬ１ＡＶ＝ＦＬ１ｂ）。また減算処理により奇数列の画素Ｄａの画像データＦＬ１ａが得られる（ＦＬ１ＡＶ−ＦＬ１Δ＝ＦＬ１ＡＶ−（ＦＬ１ｂ−ＦＬ１ＡＶ）＝２ＦＬ１ＡＶ−ＦＬ１ｂ＝２（ＦＬ１ａ＋ＦＬ１ｂ）／２−ＦＬ１ｂ＝ＦＬ１ａ）。このようにして得られた偶数列の画素Ｄａの画像データＦＬ１ａと奇数列の画素Ｄｂの画像データＦＬ１ｂとが合成され，撮影時に得られた７０万画素のフレーム画像データＦＬ１が復元される。これにより高精細なプリントが可能となる。
【０２１５】
つづいて図２９ならびに図３０（Ａ）  ，（Ｂ）  および（Ｃ）  を参照して擬似静止画像記録再生処理について説明する。
【０２１６】
擬似静止画像記録再生処理については，純粋な静止画像記録再生処理と異なり，差分データＦＬ１Δは補助記録領域ａ３  に記録されない。擬似静止画像記録再生処理では，ビデオ記録領域ａ２  に記録された平均画素ＤＡＶを表わす平均画像データＦＬ１ＡＶが読出され，この平均画像データＦＬ１ＡＶからプリントが生成される。
【０２１７】
図２６および図２７は第４実施例による節・ビデオ・テープ・レコーダの記録画像データ処理回路１３および再生画像データ処理回路３４の構成を示すブロック図である。
【０２１８】
撮影によって得られた７０万画素のフレーム画像データＦＬ１は画素抽出回路１５１  に与えられ，偶数列の画素Ｄｂの画像データＦＬ１ｂが抽出され差分データ生成比較判定回路１５３  に与えられる。また画素抽出回路１５１  から奇数列の画素Ｄａを表わす画像データＦＬ１ａと偶数列の画素Ｄｂを表わす画像データＦＬ１ｂとが出力され平均化回路１５２  に与えられる。平均化回路１５２  において入力する画像データＦＬ１ａおよびＦＬ１ｂの平均化処理が行なわれ，平均画素ＤＡＶを表わす平均画像データＦＬ１ＡＶが得られる。この平均画像データＦＬ１ＡＶは差分データ生成比較判定回路１５３  に与えられるとともに，記録画像データ処理回路１３の出力画像データとしてデータ圧縮回路１４に与えられ磁気テープ８のビデオ記録領域ａ２  に記録される。
【０２１９】
差分データ生成比較判定回路１５３  においては与えられる，奇数列の画素Ｄｂの画像データＦＬ１ｂから平均画素ＤＡＶの平均画像データＦＬ１ＡＶが減算され，差分画素ＤΔを表わす差分データＦＬ１Δが得られる。差分データ比較判定回路１５３  において，差分画像データの差ＦＬ１Δ＝ＦＬ１ｂ−ＦＬ１ＡＶがあらかじめ定められたしきい値以上かどうかがブロック（たとえば８×８画素）ごとに比較され，しきい値以上であったときに差分データＦＬ１Δ＝ＦＬ１ｂ−ＦＬ１ＡＶがデータ圧縮回路１５４  に与えられデータ圧縮が施こされる。しきい値以上ではないときは差分データＦＬ１Δ＝ＦＬ１ｂ−ＦＬ１ＡＶは比較判定回路１５３  から出力されない。比較判定回路１５３  においてデータの差ＦＬ１Δ＝ＦＬ１ｂ−ＦＬ１ＡＶがしきい値以上と判定され，比較判定回路１５３  から差分データＦＬ１Δ＝ＦＬ１ｂ−ＦＬ１ＡＶが出力されるときの処理が上述した図２８の純粋な静止画像記録再生処理に相当し，データの差ＦＬ１Δ＝ＦＬ１ｂ−ＦＬ１ＡＶがしきい値より小さいと判定され，比較判定回路１５３  から差分データＦＬ１Δ＝ＦＬ１ｂ−ＦＬ１ＡＶが出力されないときの処理が上述した図２９の擬似静止画像記録再生処理に相当する。比較判定回路１５３  から出力される差分データＦＬ１Δ＝ＦＬ１ｂ−ＦＬ１ＡＶはデータ圧縮回路１５４  に与えられデータ圧縮される。データ圧縮された差分データＦＬ１Δ＝ＦＬ１ｂ−ＦＬ１ＡＶはシステム・コントローラ２１に与えられ，補助記録領域ａ３  に記録される。差分データに加え，差分データ生成比較判定回路１５３  における判定しきい値，ビデオ記録領域ａ２  には平均化された画像データが記録されていることを示すデータも補助記録領域ａ３  に記録される。
【０２２０】
図２７を参照して，再生時においてはビデオ記録領域ａ２  に記録された平均の画素ＤＡＶの画像データＦＬ１ＡＶは読出され単に再生画像データ処理回路３４を通過して表示装置３９に与えられ，動画再生が行なわれる。また平均画素ＤＡＶの平均画像データＦＬ１ＡＶは差分データ演算回路１６２  に与えられる。補助記録領域ａ３  に記録された差分データＦＬ１Δは読出されデータ伸張回路１６１  に与えられる。データ伸張回路１６１  においてデータ伸張された差分データＦＬ１Δ＝ＦＬ１ｂ−ＦＬ１ＡＶは差分データ回路１６２  に与えられる。差分データ演算回路１６２  において上述した加算処理および減算処理が行なわれる。加算処理により偶数列の画素Ｄｂの画像データＦＬ１ｂが得られる（ＦＬ１ＡＶ＋ＦＬ１Δ＝ＦＬ１ＡＶ＋ＦＬ１ｂ−ＦＬ１ＡＶ＝ＦＬ１ｂ）。また減算処理により奇数列の画素Ｄａの画像データＦＬ１ａが得られる（ＦＬ１ＡＶ−ＦＬ１Δ＝ＦＬ１ＡＶ−（ＦＬ１ｂ−ＦＬ１ＡＶ）＝２ＦＬ１ＡＶ−ＦＬ１ｂ＝２（ＦＬ１ａ＋ＦＬ１ｂ）／２−ＦＬ１ｂ＝ＦＬ１ａ）。このようにして得られた偶数列の画素Ｄａの画像データＦＬ１ａと奇数列の画素Ｄｂの画像データＦＬ１ｂとが画像合成回路１６３  に与えられる。画像合成回路１６３  により合成され，撮影時に得られた７０万画素のフレーム画像データＦＬ１が復元される。復元された画像データＦＬ１は再生画像データ処理回路３４の出力となり，プリンタ３７に与えられることにより高精細なプリントが可能となる。
【０２２１】
（５）  第５実施例
図３１から図３４は第５実施例を説明するためのものである。
【０２２２】
図３１はディジタル・ビデオ・テープ・レコーダの記録系の電気的構成を示すブロック図，図３２はディジタル・ビデオ・テープ・レコーダの再生系の電気的構成を示すブロック図である。図３３は画像の分割の手法を示しており，図３４は画像の一例を示している。図３１および図３２において図１に示すものと同一物には同一符号を付して説明を省略する。
【０２２３】
図３１に示すディジタル・ビデオ・テープ・レコーダにおいては図１に示すディジタル・ビデオ・テープ・レコーダと同様に水平方向１４４０画素，垂直方向４８０  画素の約７０万画素の画素数をもつＣＣＤを用いて１／３０秒ごとに被写体が連続的に撮影される。撮影によって得られた７０万画素のフレーム画像データが半分の３５万画素の画像データ量となり，かつそれぞれが一駒の画像を表わすように画像データの分割が行なわれる。このように分割された画像データのうち一方の画像データは通常のディジタル・ビデオ・テープ・レコーダの記録処理と同様にして圧縮されて磁気テープ８のビデオ記録領域ａ２  に記録される。これに対して分割された画像データのうち他方の画像データについては高周波成分が抽出され，抽出された高周波成分を表わすデータが磁気テープ８の補助記録領域ａ３  に記録される。
【０２２４】
動画再生時においては通常のディジタル・ビデオ・テープ・レコーダにおける画像データの記録と同様にしてビデオ記録領域ａ２  に記録された画像データが読出され，表示装置３９に与えられる。これにより動画が表示装置３９上に表示される。静止画再生時においてはビデオ記録領域ａ２  に記録され，読出された画像データと，補助記録領域ａ３  に記録された高周波成分を表わす画像データとが合成される。高周波数成分を表わす画像データは画像の精細な部分を表わしているから合成により得られた画像データによって表わされる画像データは高精細なものとなる。したがって高精細なプリントが得られる。
【０２２５】
図３１を参照して，撮影によって得られた水平方向１４４０画素，垂直方向４８０  画素の約７０万画素のフレーム画像データはＤＳＰ（Ｄｉｇｉｔａｌ  Ｓｉｇｎａｌ  Ｐｒｏｓｓｅｓｏｒ）１７１  に与えられ，このＤＳＰ１７１  において次のようにして半分の画素数の約３５万画素のフレーム画像データに分けられる。
【０２２６】
図３３（Ａ）  ，（Ｂ）  および（Ｃ）  はＣＣＤ１１における画素配列およびこれらの画素の画像データが２フレームに分割される様子を模式的に表わすものである。水平方向および垂直方向とも，図示の便宜上，画素数はきわめて少なく描かれている。また，配列方式（モザイク，ストライプ，デルタ等）はここでは問わない。図３３（Ａ）  の上部に示すように，ＣＣＤ１１から出力されかつＡ／Ｄ変換された１駒分の画像データはＣＣＤ１１の水平方向および垂直方向のすべての画素（水平方向７２０  画素，垂直方向４８０  画素）についての画像データを含んでいる。
【０２２７】
ＤＳＰ回路１７１  において，１フレーム分ずつ２回に分けて画像データの読出しが行なわれる。
【０２２８】
第１回めに読出される第１フレームの画像データは奇数列の画素の画像データである。これらの奇数列の画素の画像データは白丸印によって表現されている。読出された画像データによって表わされる画素が図３３（Ｂ）  に示されている。第２回めに読出される第２フレームの画像データは偶数列の画像データである。これらの偶数列の画素の画像データは黒丸印によって表現されている。読出された画像データによって表わされる画素が図３３（Ｃ）  に示されている。
【０２２９】
すべての画素の画像データが１回のみ，いずれかのフレームにおいて読出されることになる。しかも，各フィールドを構成する画像データの画素は，水平方向に飛び飛びになっていて，いずれのフレームの画像データによっても被写体像の全体を表現することができる。
【０２３０】
これらの２フレームにわたる画像データの読出しはアドレッシングの制御により容易に表現することができる。たとえば第１フレームの読出しにおいては水平アドレスとして奇数列を指定し，垂直アドレスとしてすべての行を指定する。第２フレームの読出しにおいては水平アドレスとして偶数列を指定し，垂直アドレスとしてすべての行を指定する。１フレーム分の画像データの読出しは，１／３０秒で行なえばよい。このようなアドレス信号発生はシステム・コントローラ１７８  に行なわせてもよいしカウンタ，分周回路，論理回路等で構成することもできる。
【０２３１】
ＤＳＰ回路１７１  における，１駒分の画像データを２フレーム分の画像データに分ける処理は，システム・コントローラ１７８  から与えられる画像データ出力モード設定信号にもとづいて行なわれる。
【０２３２】
ＤＳＰ回路１７１  から出力された画像データはデータ並び替え回路１７２  を通過して順次データ圧縮回路１４に与えられる。データ圧縮回路１４において画像データにデータ圧縮が施される。
【０２３３】
フレーム・メモリ６に記憶された２フレーム分の画像データは順次誤り訂正符号付加回路１５に与えられ，誤り訂正符号が付加される。
【０２３４】
データ圧縮回路１４におけるデータ圧縮処理には，８×８画素のブロックごとに画像データを分割するブロック化処理，分割されたブロックをＤＣＴ変換する処理，量子化する処理，量子化された画像データを高周波成分から順に並び替える処理などが含まれ，これらの処理によりデータ圧縮が施こされる。このデータ圧縮処理により画像データの高周波成分，すなわち画像の高密度の部分が分かる。ディジタル・ビデオ・テープ・レコーダにはブロック位置検出およびデータ長算出回路１７６  が含まれ，高周波成分の画像データによって表わされる画像のブロックの位置が検出される。またこのブロック位置検出およびデータ長算出回路１７７  において，検出された画像ブロックの位置の画像データの長さも算出される。これらの画像ブロックの位置，および画像データの長さを表わすデータはシステム・コントローラ１７８  に与えられる。システム・コントローラ１７８  から，画像ブロックの位置および画像データの長さを表わすデータが出力され後述するメモリ制御回路１７３  および記録データ生成回路１７６  に与えられる。
【０２３５】
ＤＳＰ１７１  において分割された他方の３５万画素のフレーム画像データはメモリ制御回路１７３  を介してメモリ１７４  に与えられることにより一旦記憶される。メモリ１７４  に格納されている３５万画素のフレーム画像データのうち，高周波成分の画像データによって表わされる画像ブロックの位置を表わす画像ブロック位置データにもとづいて高周波成分の画像データが，メモリ制御回路１７４  の制御のもとに読み出される。
【０２３６】
メモリ制御回路１７３  によって読出された，高周波成分の画像データはデータ圧縮回路１７５  に与えられデータ圧縮が施こされる。このデータ圧縮回路１７５  はデータ圧縮回路１４と同じ種類のものでよい。データ圧縮回路１７５  においてデータ圧縮された高周波成分の画像データは補助領域記録データ生成回路１７６  に与えられ補助記録領域ａ３  への記録に適した形態の補助領域記録データに変換される。変換された補助領域記録データは誤り訂正符号付加回路１５に与えられる。
【０２３７】
誤り訂正符号付加回路１５においてデータ圧縮回路１４から与えられる画像データと，補助領域記録データ生成回路１７６  から与えられる補助領域記録データとが図８（Ｂ）  に示すトラック・フォーマットの形態にしたがったデータ配列になるようにその配列が直され記録符号化回路１６に与えられる。これにより磁気テープ８のビデオ記録領域ａ２  には画像データが記録され，補助記録領域ａ３  には補助領域データが記録される。
【０２３８】
次に図３２を参照して，ディジタル・ビデオ・テープ・レコーダの再生処理について説明する。
【０２３９】
ヘッド・シリンダ２４に含まれる磁気ヘッドによって磁気テープに記録されている補助領域記録データ，位置データおよび画像データがそれぞれ読出される。
【０２４０】
図３２に示すディジタル・ビデオ・テープ・レコーダも図１に示すディジタル・ビデオ・テープ・レコーダと同様に動画再生と静止画再生とが可能である。
【０２４１】
動画再生においては磁気テープから読出され画像データは，増幅回路２３，復調回路３１，誤り訂正回路３２，データ伸張回路３３を経てデータ並び替え回路１８６  に与えられ画像データが再生表示に適した配列に戻される。この画像データが表示装置３９に与えられることにより動画が表示される。
【０２４２】
静止画再生においては，磁気テープ８から読み出された高周波数成分の画像データの位置を表わす位置データは誤り訂正回路３２からシステム・コントローラ１８１  に与えられる。この位置データはシステム・コントローラ１８１  からメモリ制御回路１８４  に与えられる。また磁気テープ８から読出された補助領域記録データはデータ再構成回路１８２  に与えられ，補助領域への記録に適したデータの形態から表示に適したデータの形態に復元される。データ再構成回路１８２  から出力される補助領域記録データはデータ伸張回路１８３  に与えられデータ伸張が施こされ，メモリ制御回路１８４  を介してメモリ１８５  に与えられ一旦記憶される。
【０２４３】
プリンタ３７にはデータ並び替え回路１８６  から出力される，３５万画素のフレーム画像データが与えられる。プリンタ３７に，データ並び替え回路１８６  から出力される３５万画素のフレーム画像データが与えられるとシステム・コントローラ１８１  から与えられる位置データによって指定される位置に，メモリ１８５  に記憶されている補助領域記録データが加えられるように，メモリ１８５  から補助領域記録データが読み出され，プリンタ３７に与えられる。これにより高精細な部分については画像データに加えて補助領域記録データを用いて，画像が生成される。したがって画像の粗密に応じてその細かさを表わす静止画像がプリントされる。たとえば図３４に示すようにハッチングで示す部分が画像の細かい部分であったとすると，この部分については補助領域記録データが抽出されあらかじめ補助記録領域ａ３  に記録される。再生時においては，一画面を構成する３５万画素の画像データに加えて補助領域記録データが用いられ画像が生成されるので，図３４に示すハッチングの部分については高精細な画像が表現される。
【図面の簡単な説明】
【図１】第１実施例を示すもので，ディジタル・ビデオ・テープ・レコーダの電気的構成を示すブロック図である。
【図２】ＣＣＤの構成を示している。
【図３】記録画像データ処理回路の電気的構成を示すブロック図である。
【図４】再生画像データ処理回路の電気的構成を示すブロック図である。
【図５】撮影によって得られるフレーム画像を斜視図的に示したものである。
【図６】静止画像記録再生処理を平面的に示している。
【図７】動画像記録再生処理を平面的に示している。
【図８】（Ａ）  は磁気テープの記録フォーマットを示し，（Ｂ）  はトラック・フォーマットを示している。
【図９】画素配列の一例を示している。
【図１０】静止画像記録再生処理を平面的に示している。
【図１１】動画像記録再生処理を平面的に示している。
【図１２】第２実施例を示すもので，記録画像データ処理回路の電気的構成を示すブロック図である。
【図１３】再生画像データ処理回路の電気的構成を示すブロック図である。
【図１４】動画像記録再生処理を平面的に示している。
【図１５】静止画像記録再生処理を平面的に示している。
【図１６】動画像記録再生処理を平面的に示している。
【図１７】静止画像記録再生処理を平面的に示している。
【図１８】
第３実施例を示すもので，記録画像データ処理回路の電気的構成を示すブロック図である。
【図１９】
再生画像データ処理回路の電気的構成を示すブロック図である。
【図２０】
静止画像記録再生処理を平面的に示している。
【図２１】
静止画像記録再生処理を平面的に示している。
【図２２】
（Ａ）  ，（Ｂ）  および（Ｃ）  は画像データによって表わされる画素の一例を示している。
【図２３】
補間画素値演算回路の電気的構成を示すブロック図である。
【図２４】
欠如された画素のデータを生成するための画素ブロックを示している。
【図２５】
欠如された画素のデータを生成するための処理手順を示すフローチャートである。
【図２６】
第４実施例を示すもので，記録画像データ処理回路の電気的構成を示すブロック図である。
【図２７】
再生画像データ処理回路の電気的構成を示すブロック図である。
【図２８】
静止画像記録再生処理を平面的に示している。
【図２９】
静止画像記録再生処理を平面的に示している。
【図３０】
（Ａ）  ，（Ｂ）  および（Ｃ）  は画像データによって表わされる画素の一例を示している。
【図３１】
第５実施例を示すもので，ディジタル・ビデオ・テープ・レコーダの記録系の電気的構成を示すブロック図である。
【図３２】
ディジタル・ビデオ・テープ・レコーダの再生系の電気的構成を示すブロック図である。
【図３３】
（Ａ）  ，（Ｂ）  および（Ｃ）  は画像データによって表わされる画素のを模式的に表わしている。
【図３４】
画像の一例を示している。
【符号の説明】
１１  ＣＣＤ
１３  記録画像データ処理回路
２４  ヘッド・シリンダ
３４  再生画像データ処理回路
５２，５４  画素抽出回路
５６  差分演算回路
６２  画像合成回路
６５  演算処理回路
【図１】
0003606634.tif 000002
【図２】
0003606634.tif 000003
【図９】
0003606634.tif 000004
【図３】
0003606634.tif 000005
【図４】
0003606634.tif 000006
【図５】
0003606634.tif 000007
【図６】
0003606634.tif 000008
【図７】
0003606634.tif 000009
【図８】
0003606634.tif 000010
【図１０】
0003606634.tif 000011
【図１１】
0003606634.tif 000012
【図１２】
0003606634.tif 000013
【図１３】
0003606634.tif 000014
【図１４】
0003606634.tif 000015
【図１５】
0003606634.tif 000016
【図１６】
0003606634.tif 000017
【図１７】
0003606634.tif 000018
【図１８】
0003606634.tif 000019
【図１９】
0003606634.tif 000020
【図２０】
0003606634.tif 000021
【図２１】
0003606634.tif 000022
【図２２】
0003606634.tif 000023
【図２３】
0003606634.tif 000024
【図２４】
0003606634.tif 000025
【図２５】
0003606634.tif 000026
【図２６】
0003606634.tif 000027
【図２７】
0003606634.tif 000028
【図２８】
0003606634.tif 000029
【図２９】
0003606634.tif 000030
【図３０】
0003606634.tif 000031
【図３１】
0003606634.tif 000032
【図３２】
0003606634.tif 000033
【図３３】
0003606634.tif 000034
【図３４】
0003606634.tif 000035